(57)【要約】【課題】      人体を信号伝送路として利用し、利便性を向上させた情報入力装置を提供する。【解決手段】  情報入力装置の端末装置３００は、人が入力キー２００ａ〜２００ｎに接触する毎に、人体及び接触された入力キーを含む信号伝送路を介して当該入力キーに接触した人が携帯している人体側通信装置１００の会員カード１１０に記憶されている会員ＩＤを読み取るとともに、人が接触した入力キー２００ａ〜２００ｎに対応する文字情報識別情報を判別する。判別した文字情報識別情報は、読み取った会員ＩＤとともに、会員ＩＤを読み取った順序で記憶する。そして、同じ会員ＩＤとともに記憶されている複数の文字情報識別情報の、記憶順序にしたがった組み合わせに基づいて、当該会員ＩＤで示される人が入力した入力情報を判別する。【選択図】    図１
2007020895.tif 000002
【特許請求の範囲】
【請求項１】
人が携帯する人体側通信装置と、端末装置を備え、
前記人体側通信装置は、個人識別情報を記憶する記憶手段を有し、
前記端末装置は、人が接触することによって、人体とともに信号伝送路を形成する入力部を複数有し、
前記入力部が複数回接触されることによって入力情報が入力される情報入力装置であって、
前記端末装置は、人が前記入力部に接触する毎に、人体及び入力部を含む信号伝送路を介して当該入力部に接触した人が携帯している人体側通信装置の記憶手段に記憶されている個人識別情報を読み取るとともに、前記人が接触した入力部に対応する入力部識別情報を判別し、前記判別した入力部識別情報を、前記読み取った個人識別情報とともに、前記個人識別情報を読み取った順序で記憶し、同じ個人識別情報とともに記憶されている複数の入力部識別情報の、記憶順序にしたがった組み合わせに基づいて、当該個人識別情報で示される人が入力した入力情報を判別する、
情報入力装置。
【請求項２】
人が携帯する人体側通信装置と、端末装置を備え、
前記人体側通信装置は、個人識別情報を記憶する記憶手段を有し、
前記端末装置は、人が接触することによって、人体とともに信号伝送路を形成する入力部を複数有し、
前記入力部が複数回接触されることによって入力情報が入力される情報入力装置であって、
前記端末装置は、人が前記入力部に接触する毎に、人体及び入力部を含む信号伝送路を介して当該入力部に接触した人が携帯している人体側通信装置の記憶手段に記憶されている個人識別情報を読み取るとともに、当該個人識別情報を読み取った順序を示す順序情報を作成し、また、前記人が接触した入力部に対応する入力部識別情報を判別し、前記判別した入力部識別情報を、前記読み取った個人識別情報及び前記作成した順序情報とともに記憶し、同じ個人識別情報とともに記憶されている複数の入力部識別情報の、順序情報で示される順序にしたがった組み合わせに基づいて、当該個人識別情報で示される人が入力した入力情報を判別する、
情報入力装置。
【請求項３】
請求項２に記載の情報入力装置であって、
前記端末装置は、前記個人識別情報を読み取った時刻を示す時刻情報を作成し、前記判別した入力部識別情報を、前記作成した時刻情報及び前記読み取った個人識別情報とともに記憶し、同じ個人識別情報とともに記憶されている複数の入力部識別情報の、時刻情報で示される時刻の順序にしたがった組み合わせに基づいて、当該個人識別情報で示される人が入力した入力情報を判別する、
ことを特徴とする情報入力装置。
【請求項４】
人が携帯する人体側通信装置と、端末装置と、管理装置を備え、
前記人体側通信装置は、個人識別情報を記憶する記憶手段を有し、
前記端末装置は、人が接触することによって、人体とともに信号伝送路を形成する入力部を複数有し、
前記入力部が複数回接触されることによって入力情報が入力される情報入力装置であって、
前記端末装置は、人が前記入力部に接触する毎に、人体及び入力部を含む信号伝送路を介して当該入力部に接触した人が携帯している人体側通信装置の記憶手段に記憶されている個人識別情報を読み取るとともに、前記人が接触した入力部に対応する入力部識別情報を判別し、前記判別した入力部識別情報を、前記読み取った個人識別情報とともに、前記個人識別情報を読み取った順序で前記管理装置に送信し、
前記管理装置は、前記端末装置から送信された入力部識別情報と個人識別情報を受信すると、前記受信した入力部識別情報を、前記受信した個人識別情報とともに、受信した順序で記憶し、同じ個人識別情報とともに記憶されている複数の入力部識別情報の、記憶順序にしたがった組み合わせに基づいて、当該個人識別情報で示される人が入力した入力情報を判別する、
情報入力装置。
【請求項５】
人が携帯する人体側通信装置と、端末装置と、管理装置を備え、
前記人体側通信装置は、個人識別情報を記憶する記憶手段を有し、
前記端末装置は、人が接触することによって、人体とともに信号伝送路を形成する入力部を複数有し、
前記入力部が複数回接触されることによって入力情報が入力される情報入力装置であって、
前記端末装置は、人が前記入力部に接触する毎に、人体及び入力部を含む信号伝送路を介して当該入力部に接触した人が携帯している人体側通信装置の記憶手段に記憶されている個人識別情報を読み取るとともに、当該個人識別情報を読み取った順序を示す順序情報を作成し、また、前記人が接触した入力部に対応する入力部識別情報を判別し、前記判別した入力部識別情報を、前記読み取った個人識別情報及び前記作成した順序情報とともに前記管理装置に送信し、
前記管理装置は、前記端末装置から送信された入力部識別情報、個人識別情報及び順序情報を受信すると、前記受信した入力部識別情報を、前記受信した個人識別情報及び順序情報とともに記憶し、同じ個人識別情報とともに記憶されている複数の入力部識別情報の、順序情報で示される順序にしたがった組み合わせに基づいて、当該個人識別情報で示される人が入力した入力情報を判別する、
情報入力装置。
【請求項６】
請求項５に記載の情報入力装置であって、
前記端末装置は、前記個人識別情報を読み取った時刻を示す時刻情報を作成し、前記判別した入力部識別情報を、前記読み取った個人識別情報及び前記作成した時刻情報とともに前記管理装置に送信し、
前記管理装置は、前記端末装置から送信された入力部識別情報、個人識別情報及び時刻情報を受信すると、前記受信した入力部識別情報を、前記受信した個人識別情報及び時刻情報とともに記憶し、同じ個人識別情報とともに記憶されている複数の入力部識別情報の、時刻情報で示される順序にしたがった組み合わせに基づいて、当該個人識別情報で示される人が入力した入力情報を判別する、
ことを特徴とする情報入力装置。
【請求項７】
請求項１〜６のいずれかに記載の情報入力装置であって、
前記入力部は、前記入力情報を構成する文字情報に対応して設けられ、
前記端末装置は、前記入力部が配設される入力領域を複数有し、各文字情報に対応する入力部が前記複数の入力領域それぞれに配設されている、
ことを特徴とする情報入力装置。
【請求項８】
請求項７に記載の情報入力装置であって、
前記複数の入力領域に対応する複数の表示部を備え、
前記端末装置は、前記人が接触した入力部に対応する入力部識別情報を判別すると、判別した入力部識別情報に基づく表示情報を、前記人が接触した入力部が配設されている入力領域に対応する表示部に表示する、
ことを特徴とする情報入力装置。
【請求項９】
請求項７に記載の情報入力装置であって、
前記複数の入力領域に対応する複数の表示部を備え、
前記管理装置は、個人識別情報に対応する提供情報を管理しており、同じ個人識別情報に対応して記憶されている複数の入力部識別情報の組み合わせに基づいて判別した入力情報が、提供情報の送信を指示している場合には、前記個人識別情報に対応して管理している提供情報を前記端末装置に送信し、
前記端末装置は、前記管理装置から送信された提供情報を、前記提供情報の送信を指示する入力情報を構成する文字情報を示す入力部識別情報を入力した入力部が配設されている入力領域に対応する表示部に表示する、
ことを特徴とする情報入力装置。
【請求項１０】
請求項４〜９のいずれかに記載の情報入力装置であって、
複数の位置に配設されている複数の表示部と、
各表示部に対応して設けられ、人が接触することによって、人体とともに信号伝送路を形成する表示部選択部と、
各表示部選択部に対応して設けられた表示部選択検出装置を備え、
前記表示部選択検出装置は、対応する表示部選択部に人が接触すると、人体及び当該表示部選択部を含む信号伝送路を介して、当該表示部選択部に接触した人が携帯している人体側通信装置の記憶手段に記憶されている個人識別情報を読み取り、前記読み取った個人識別情報を前記管理装置に送信し、
前記管理装置は、個人識別情報に対応する提供情報を管理しており、表示部選択検出装置から個人識別情報を受信すると、当該個人識別情報に対応して管理している提供情報を、当該個人識別情報を送信した表示部選択検出装置に対応する表示部に表示する、
ことを特徴とする情報入力装置。
【請求項１１】
人が携帯する人体側通信装置と、端末装置を備え、
前記人体側通信装置は、記憶手段を有し、
前記端末装置は、複数の入力部識別情報送信部と、入力部識別情報入力部を有し、
前記入力部識別情報送信部は、入力情報を構成する文字情報に対応して設けられ、人が接触することによって人体とともに信号伝送路を形成し、当該信号伝送路を介して、当該入力部識別情報送信部に対応する文字情報を示す入力部識別情報を送信し、
前記人体側通信装置は、受信した入力部識別情報を前記記憶手段に記憶し、
前記入力部識別情報入力部は、人が接触することによって、人体とともに信号伝送路を形成し、
前記端末装置は、前記入力部識別情報入力部に接触した人の人体及び前記入力部識別情報入力部を含む信号伝送路を介して、当該入力部識別情報入力部に接触した人が携帯している人体側通信装置の記憶手段に記憶されている入力部識別情報を読み取る、
情報入力装置。
【発明の詳細な説明】
【技術分野】
【０００１】
本発明は、人体を信号伝送路として利用する技術に関する。
【背景技術】
【０００２】
近年、人体を信号伝送路として利用した情報通信装置が開発されている。この情報通信装置は、例えば、個人識別情報（ＩＤ等）が記憶されたメモリを有する人体側通信装置と、人が接触するタッチ電極と、タッチ電極に接続された端末装置を備えている。端末装置は、人体側通信装置を携帯している人がタッチ電極に接触すると、人体及びタッチ電極を介して人体側通信装置と通信を行い、人体側通信装置のメモリに記憶されている個人識別情報を読み取るように構成されている。（特許文献１参照）。
このような情報通信装置は、車のドアロック装置に用いることができる。例えば、タッチ電極をドアハンドルに配置する。端末装置は、人体側通信装置を携帯している人がタッチ電極に接触すると、人が携帯している人体側通信装置のメモリに記憶されている個人識別情報を読み取る。そして、読み取った個人識別情報を予め記憶されている個人識別情報と比較し、一致している場合には、ドアロック機構にドアロック施錠信号あるいはドアロック開錠信号を出力する。
【特許文献１】特開２００２−９７１０号公報
【発明の開示】
【発明が解決しようとする課題】
【０００３】
ところで、キーボード等複数のキーを備えた入力装置では、順次操作されたキーに対応する識別情報は、操作された順に、入力装置が接続されている端末装置（パソコン等）に入力される。このような入力装置は、一般的には、１人ずつ使用することが想定されている。このため、例えば、利用者Ａが「ａｂｃ」といった入力情報を、利用者Ｂが「ｄｅｆ」といった入力情報を、入力装置を用いて入力する場合に、二人で交互にキーを操作して入力することはできなかった。利用者Ａが「ａ」、利用者Ａが「ｂ」、利用者Ｂが「ｄ」、利用者Ａが「ｃ」、利用者Ｂが「ｅ」、利用者Ｂが「ｆ」の順にキーを操作すると、端末装置には単に「ａｂｄｃｅｆ」が入力されるだけで、端末装置は各利用者に対応する入力情報を判別することができなかった。
そこで、発明者は、従来技術で記載した人体側通信装置を用いて、端末装置に利用者の個人識別情報を読み取らせながら、入力装置で入力された入力情報を利用者別に判別することができる技術を開発した。
本発明が解決しようとする課題は、人体を信号伝送路として利用し、利便性を向上させた情報入力装置を提供することである。
【課題を解決するための手段】
【０００４】
上記課題を達成するため、各請求項記載の発明が構成される。
（請求項１に記載の発明）
請求項１に記載の発明によれば、人が携帯する人体側通信装置と、端末装置を備える情報入力装置が構成される。
この人体側通信装置は、個人識別情報を記憶する記憶手段を有している。
また、端末装置は、人が接触することによって、人体とともに信号伝送路を形成する入力部を複数有し、入力部が複数回接触されることによって入力情報が入力される。
そして、端末装置は、人が入力部に接触する毎に、人体及び入力部を含む信号伝送路を介して当該入力部に接触した人が携帯している人体側通信装置の記憶手段に記憶されている個人識別情報を読み取るとともに、人が接触した入力部に対応する入力部識別情報を判別し、判別した入力部識別情報を、読み取った個人識別情報とともに、個人識別情報を読み取った順序で記憶し、同じ個人識別情報とともに記憶されている複数の入力部識別情報の、記憶順序にしたがった組み合わせに基づいて、当該個人識別情報で示される人が入力した入力情報を判別する。
「個人識別情報」は、各人を区別することができる情報であればよく、ＩＤ、名前等を含む。
「入力部」は、入力部が人により接触されると、入力情報を構成する文字情報等を示す入力部識別情報が端末装置で判別することができる構成であるとともに、接触された入力部を介して接触した人が携帯している人体側通信装置の記憶手段に記憶されている個人識別情報を端末装置で読み取ることができる構成であればよく、典型的には、導電性部材で形成された、あるいは導電性部材を有するキーとして構成される。各キーには、例えば、対応する文字情報（アルファベットや数字や記号等も含む。）が表記されている。そして、複数の入力部によって、キーボード、キーパネル等が構成される。
「入力部識別情報」とは、入力部の操作によって端末装置に入力される情報を広く包含し、典型的には、入力部が配置されている位置（座標等）の情報、入力部に付された番号等の情報、入力部に対応する文字情報識別情報（コード）、入力部に対応するコマンド識別情報（コード）を示す。
本発明の情報入力装置は、人が入力部に接触する毎に、人体及び入力部を含む信号伝送路を介して当該入力部に接触した人が携帯している人体側通信装置の記憶手段に記憶されている個人識別情報を読み取るとともに、接触された入力部に対応する入力部識別情報を判別する。そして、判別した入力部識別情報を、読み取った個人識別情報とともに、個人識別情報を読み取った順序で記憶する。
したがって、人は、人体側通信装置を携帯しているだけで、情報入力装置に個人識別情報を読み取らせることができ、例えば、個人識別情報が記憶された記憶手段の一例であるカードを、カード挿入口に挿入する等の作業が不要であるため、人が情報入力装置を用いる際に行う操作が簡略化される。また、人が入力部に接触して入力情報を入力中に他の人が入力部に接触しても、端末装置は、入力部に対応する入力部識別情報と、当該入力部を介して読み取った個人識別情報を組み合わせて記憶しているため、個人毎の入力部識別情報を判別することができる。したがって、端末装置は、各入力部が接触された順に入力部識別情報を組み合わせ、組み合わせた入力部識別情報に基づいて入力情報を個人毎に判別することができる。これにより、情報入力装置の数を増やすことなく、各人の入力情報の入力時間を短縮化することができる。
【０００５】
（請求項２に記載の発明）
請求項２に記載の発明によれば、人が携帯する人体側通信装置と、端末装置を備える情報入力装置が構成される。
この人体側通信装置は、個人識別情報を記憶する記憶手段を有している。
また、端末装置は、人が接触することによって、人体とともに信号伝送路を形成する入力部を複数有し、入力部が複数回接触されることによって入力情報が入力される。
そして、端末装置は、人が入力部に接触する毎に、人体及び入力部を含む信号伝送路を介して当該入力部に接触した人が携帯している人体側通信装置の記憶手段に記憶されている個人識別情報を読み取るとともに、当該個人識別情報を読み取った順序を示す順序情報を作成し、また、人が接触した入力部に対応する入力部識別情報を判別し、判別した入力部識別情報を、読み取った個人識別情報及び作成した順序情報とともに記憶し、同じ個人識別情報とともに記憶されている複数の入力部識別情報の、順序情報で示される順序にしたがった組み合わせに基づいて、当該個人識別情報で示される人が入力した入力情報を判別する。
「個人識別情報を読み取った順序」は、人が入力部を操作した順序を意味する、端末装置が個人識別情報を読み取った順序情報としては、例えば、端末装置が個人識別情報を読み取った時刻を示す時刻情報、端末装置が個人識別情報を読み取った順番を示す順番情報が用いられる。また、順序情報は、入力部を操作した人に関係なく、操作部が操作された順序情報を用いることもできるし、操作した人毎の順序情報を用いることもできる（例えば、個人識別情報毎に順序情報を作成する）。なお、端末装置は、入力部に対応する入力部識別情報と、当該入力部を介して読み取った個人識別情報を組み合わせて記憶しているため、順序情報が個人識別情報毎に作成されていない場合でも、個人識別情報毎の入力部識別情報の入力順序を判別することができる。
本発明の情報入力装置によれば、端末装置には、判別した文字情報識別情報と、読み取った個人識別情報と、作成した順序情報が記憶される。順序情報が作成されることにより、端末装置は、個人識別情報を読み取った順序を記憶しておく必要がなく、順序情報を用い簡単に入力情報を判別することができる。
【０００６】
（請求項３に記載の発明）
請求項３に記載の発明は、請求項２に記載の情報入力装置であって、
端末装置は、個人識別情報を読み取った時刻を示す時刻情報を作成し、判別した入力部識別情報を、作成した時刻情報及び前記読み取った個人識別情報とともに記憶し、同じ個人識別情報とともに記憶されている複数の入力部識別情報の、時刻情報で示される時刻の順序にしたがった組み合わせに基づいて、当該個人識別情報で示される人が入力した入力情報を判別する。
本発明の情報入力装置は、請求項２に記載された発明の順序情報として、個人識別情報を読み取った時刻を示す時刻情報が用いられている。
なお、端末装置で個人識別情報が読み取られた時刻と入力部識別情報が判別された時刻は殆ど同時期であるので、入力部識別情報が判別された時刻も個人識別情報が読み取られた時刻と同一概念に含まれる。
本発明の情報入力装置によれば、複数の人が同時に其々入力部を操作した場合でも、其々の入力部を介して読み取られる個人識別情報が相違するので、各人毎の入力情報を判別することができる。
【０００７】
（請求項４に記載の発明）
請求項４に記載の発明によれば、人が携帯する人体側通信装置と、端末装置と、管理装置を備える情報入力装置が構成される。
この人体側通信装置は、個人識別情報を記憶する記憶手段を有している。
また、端末装置は、人が接触することによって、人体とともに信号伝送路を形成する入力部を複数有し、入力部が複数回接触されることによって入力情報が入力される。
そして、端末装置は、人が入力部に接触する毎に、人体及び入力部を含む信号伝送路を介して当該入力部に接触した人が携帯している人体側通信装置の記憶手段に記憶されている個人識別情報を読み取るとともに、人が接触した入力部に対応する入力部識別情報を判別し、判別した入力部識別情報を、読み取った個人識別情報とともに、個人識別情報を読み取った順序で管理装置に送信する。
管理装置は、端末装置から送信された入力部識別情報と個人識別情報を受信すると、受信した入力部識別情報を、受信した個人識別情報とともに、受信した順序で記憶し、同じ個人識別情報とともに記憶されている複数の入力部識別情報の、記憶順序にしたがった組み合わせに基づいて、当該個人識別情報で示される人が入力した入力情報を判別する。
本発明の情報入力装置の端末装置は、人が入力部に接触する毎に、人体及び入力部を含む信号伝送路を介して当該入力部に接触した人が携帯している人体側通信装置の記憶手段に記憶されている個人識別情報を読み取るとともに、接触された入力部に対応する入力部識別情報を判別する。そして、判別した入力部識別情報を、読み取った個人識別情報とともに、個人識別情報を読み取った順序で管理装置に送信する。
したがって、人は、人体側通信装置を携帯しているだけで、情報入力装置に個人識別情報を読み取らせることができ、例えば、個人識別情報が記憶された記憶手段の一例であるカードを、カード挿入口に挿入する等の作業が不要であるため、人が情報入力装置を用いる際に行う操作が簡略化される。また、人が入力部に接触して入力情報を入力中に他の人が入力部に接触しても、管理装置は、入力部に対応する入力部識別情報と、当該入力部を介して読み取った個人識別情報を組み合わせて受信するため、個人毎の入力部識別情報を判別することができる。したがって、管理装置は、各入力部が接触された順に入力部識別情報を組み合わせ、組み合わせた入力部識別情報に基づいて入力情報を個人毎に判別することができる。これにより、情報入力装置の数を増やすことなく、各人の入力情報の入力時間を短縮化することができる。また、本発明の情報入力装置では、入力情報の判別処理を管理装置で行っている。これにより、端末装置の処理負担が軽減される。
【０００８】
（請求項５に記載の発明）
請求項５に記載の発明によれば、人が携帯する人体側通信装置と、端末装置と、管理装置を備える情報入力装置が構成される。
この人体側通信装置は、個人識別情報を記憶する記憶手段を有している。
また、端末装置は、人が接触することによって、人体とともに信号伝送路を形成する入力部を複数有し、入力部が複数回接触されることによって入力情報が入力される。
そして、端末装置は、人が前記入力部に接触する毎に、人体及び入力部を含む信号伝送路を介して当該入力部に接触した人が携帯している人体側通信装置の記憶手段に記憶されている個人識別情報を読み取るとともに、当該個人識別情報を読み取った順序を示す順序情報を作成し、また、前記人が接触した入力部に対応する入力部識別情報を判別し、判別した入力部識別情報を、読み取った個人識別情報及び作成した順序情報とともに管理装置に送信する。
管理装置は、端末装置から送信された入力部識別情報、個人識別情報及び順序情報を受信すると、受信した入力部識別情報を、受信した個人識別情報及び順序情報とともに記憶し、同じ個人識別情報とともに記憶されている複数の入力部識別情報の、順序情報で示される順序にしたがった組み合わせに基づいて、当該個人識別情報で示される人が入力した入力情報を判別する。
本発明の情報入力装置によれば、管理装置には、端末装置で判別された入力部識別情報と、端末装置で読み取られた個人識別情報と、端末装置で作成された順序情報が、端末装置から送信される。この順序情報が送信されることにより、端末装置は、人が接触して入力部に対応する入力部識別情報が判別される毎に（個人識別情報が読み取られる毎に）、入力部識別情報及び個人識別情報を管理装置に送信する必要がなく、纏めて送信することもできる。これにより、端末装置の管理装置への情報の送信回数を削減し、端末装置の負担を軽減することができる。また、順序情報が送信されることにより、管理装置は、入力部識別情報が送信された順序を記憶しておく必要がなく、順序情報を用い簡単に入力情報を判別することができる。
【０００９】
（請求項６に記載の発明）
請求項６に記載の発明では、請求項５に記載の情報入力装置の端末装置が、個人識別情報を読み取った時刻を示す時刻情報を作成し、判別した入力部識別情報を、読み取った個人識別情報及び作成した時刻情報とともに管理装置に送信する。
また、管理装置は、端末装置から送信された入力部識別情報、個人識別情報及び時刻情報を受信すると、受信した入力部識別情報を、受信した個人識別情報及び時刻情報とともに記憶し、同じ個人識別情報とともに記憶されている複数の入力部識別情報の、時刻情報で示される順序にしたがった組み合わせに基づいて、当該個人識別情報で示される人が入力した入力情報を判別する。
本発明の情報入力装置は、請求項５に記載された発明の順序情報として、個人識別情報を読み取った時刻を示す時刻情報が用いられている。
なお、端末装置で個人識別情報が読み取られた時刻と入力部識別情報が判別された時刻は殆ど同時期であるので、入力部識別情報が判別された時刻も個人識別情報が読み取られた時刻と同一概念に含まれる。
本発明の情報入力装置によれば、複数の人が同時に其々入力部を操作した場合でも、其々の入力部を介して読み取られる個人識別情報が相違するので、各人毎の入力情報を判別することができる。
【００１０】
（請求項７に記載の発明）
請求項７に記載の発明では、請求項１〜６のいずれかに記載の情報入力装置の入力部が、入力情報を構成する文字情報に対応して設けられている。
そして、端末装置は、入力部が配設される入力領域を複数有し、各文字情報に対応する入力部が複数の入力領域それぞれに配設されている。
入力領域は、例えば、それぞれが同じ配列の複数の入力部を有しており、端末装置あるいは管理装置で同じ文字情報に変換される入力部が、それぞれの入力領域に設けられている。
本発明の情報入力装置には、複数の入力領域が設けられているので、複数の人が同じ時間内に入力部を用いる際に、操作したい入力部が重複することで、いずれかの人が待機する必要がないので、其々が入力情報を短時間で入力することができる。また、入力部が操作されている際に、他人に操作されている入力部を見られる虞が少なく、情報入力装置を安心して用いることができる。
【００１１】
（請求８に記載の発明）
請求項８に記載の発明では、請求項７に記載の情報入力装置において、複数の入力領域に対応する複数の表示部を備えている情報入力装置が構成される。
端末装置は、人が接触した入力部に対応する入力部識別情報を判別すると、判別した入力部識別情報に基づく表示情報を、人が接触した入力部に配設されている入力領域に対応する表示部に表示する。
「表示情報」としては、入力部識別情報に対応する文字情報、入力部識別情報が入力された桁数を示す情報（例えば、入力情報が暗証番号の場合のアスタリスク表示）等を含む。
本発明の情報入力装置を用いれば、人は実際に入力された文字情報（あるいは、入力された桁数等）を確認しながら入力操作を進めることができ、正確に入力情報を入力することができる。
【００１２】
（請求項９に記載の発明）
請求項９に記載の発明では、請求項７に記載の情報入力装置において、複数の入力領域に対応する複数の表示部を備えている情報入力装置が構成される。
管理装置は、個人識別情報に対応する提供情報を管理しており、同じ個人識別情報に対応して記憶されている複数の入力部識別情報の組み合わせに基づいて判別した入力情報が、提供情報の送信を指示している場合には、個人識別情報に対応して管理している提供情報を端末装置に送信し、
端末装置は、管理装置から送信された提供情報を、提供情報の送信を指示する入力情報を構成する文字情報を示す入力部識別情報を入力した入力部が配設されている入力領域に対応する表示部に表示する。
「提供情報」としては、個人に対応する情報を広く包含し、典型的には、個人の遊技等の履歴情報、情報入力装置が設けられている施設から当該個人へのメッセージを含む。
本発明の情報入力装置を用いれば、個人の提供情報を、提供情報の送信を指示する入力情報が入力された入力領域に対応する表示部に表示させることができる。これにより、各人は、自己への提供情報を容易に確認することができる。
【００１３】
（請求１０に記載の発明）
請求項１０に記載の発明は、請求項４〜９のいずれかに記載の情報入力装置であって、さらに、複数の位置に配設されている複数の表示部と、各表示部に対応して設けられ、人が接触することによって、人体とともに信号伝送路を形成する表示部選択部と、各表示部選択部に対応して設けられた表示部選択検出装置を備えている。
表示部選択検出装置は、対応する表示部選択部に人が接触すると、人体及び当該表示部選択部を含む信号伝送路を介して、当該表示部選択部に接触した人が携帯している人体側通信装置の記憶手段に記憶されている個人識別情報を読み取り、読み取った個人識別情報を前記管理装置に送信する。
管理装置は、個人識別情報に対応する提供情報を管理しており、表示部選択検出装置から個人識別情報を受信すると、当該個人識別情報に対応して管理している提供情報を、当該個人識別情報を送信した表示部選択検出装置に対応する表示部選択部が対応する表示部、すなわち、当該個人識別情報を送信した表示部選択検出装置に対応する表示部に表示する。
「複数の表示部」は、端末装置に設けられていてもよいし、端末装置以外の装置に設けられていてもよい。
提供情報は、管理装置により表示部に直接的に表示されるように構成されていてもよいし、管理装置から端末装置に送信し、端末装置により表示部に表示される（管理装置により表示部に間接的に表示される）ように構成されていてもよい。
また、管理装置は表示部選択検出装置から個人識別情報を受信するだけで、当該個人識別情報に対応して管理している提供情報を、当該表示部選択検出装置に対応する表示部に表示してもよいし、管理装置が、個人識別情報とともに入力された文字情報識別情報の組み合わせに基づく入力情報が、提供情報の送信を指示していることを判別している状態で、表示部選択検出装置から同じ個人識別情報を受信した時に、当該個人識別情報に対応して管理している提供情報を、当該表示部選択検出装置に対応する表示部に表示してもよい。
本発明の情報入力装置を用いれば、各人は、自己の提供情報を、簡単な操作により、任意の表示部で、任意の時期に容易に確認することができる。ここで、提供情報を表示する表示部の選択操作のみで提供情報を表示するように構成されている場合には、自己の提供情報を確認するための操作が容易である。また、提供情報の送信を要求する入力情報の入力と、提供情報を表示する表示部の選択によって提供情報を表示するように構成されている場合には、例えば、提供情報の送信を要求する入力情報を入力可能な端末装置を限定することにより、不正に提供情報が送信されるのを防止することができる。
【００１４】
（請求１１に記載の発明）
請求項１１に記載の発明によれば、人が携帯する人体側通信装置と、端末装置を備える情報入力装置が構成される。
人体側通信装置は、記憶手段を有している。また、端末装置は、複数の入力部識別情報送信部と、入力部識別情報入力部を有している。
この入力部識別情報送信部は、入力情報を構成する文字情報に対応して設けられ、人が接触することによって人体とともに信号伝送路を形成し、当該信号伝送路を介して、当該入力部識別情報送信部に対応する文字情報を示す入力部識別情報を当該人体側通信装置に送信する。
そして、人体側通信装置は、受信した入力部識別情報を記憶手段に記憶する。
また、入力部識別情報入力部は、人が接触することによって、人体とともに信号伝送路を形成し、端末装置は、入力部識別情報入力部に接触した人の人体及び入力部識別情報入力部を含む信号伝送路を介して、当該入力部識別情報入力部に接触した人が携帯している人体側通信装置の記憶手段に記憶されている入力部識別情報を読み取る。
「入力部識別情報送信部」は、人により操作（接触）された際に、人の人体とともに信号伝送路を形成し、当該信号伝送路を介して入力部識別情報を送信することができるように構成されていればよい。
「入力部識別情報入力部」は、人により操作（接触）された際に、端末装置が、入力部識別情報入力部を介して、人が携帯している人体側通信装置の記憶手段に記憶されている入力部識別情報を読み取り可能に構成されていればよい。
本発明の情報通信装置によれば、端末装置は、人が入力部を操作する毎に、入力部識別情報と個人識別情報を記憶しておく必要がなく、端末装置の負担を軽減させることができる。また、本発明の情報通信装置の入力装置を複数の人が同時に用いる場合、端末装置は、各人が携帯している人体側通信装置の記憶手段に其々記憶された入力部識別情報を、各人につき連続的に受信することができる。したがって、端末装置は、記憶された入力部識別情報を記憶された順に並び替える必要がなく、端末装置の負担を軽減させることができる。
【発明の効果】
【００１５】
本発明によれば、人体を信号伝送路として利用し、利便性を向上させた情報入力装置が提供されることとなった。
【発明を実施するための最良の形態】
【００１６】
（第１の実施の形態）
以下に、本発明を実施する最良の形態の一例につき、図１〜図６を参照しつつ説明する。
本実施の形態は、遊技場で遊技を行う遊技者が、会員識別情報（会員ＩＤ）が記憶された会員カードを人体側通信装置に装着し、この人体側通信装置を携帯した状態で、入力装置の入力部に接触することによって、入力情報である暗証番号を入力する情報入力装置として構成したものである。
本実施の形態の概略構成図を図１に示す。遊技者が携帯する人体側通信装置のブロック図を図２に示す。図３には、キーパネル（タッチパネル）と、情報入力装置の端末装置のブロック図を示す。また、図４は、人体側通信装置を携帯した遊技者がキーパネルの入力キー（タッチキー）にタッチ（接触）した時に、端末装置に入力される入力キー識別情報を説明する図である。図５に、遊技者がタッチパネルの入力キーにタッチすることによって端末装置に入力された入力キー識別情報の一例を示す。また、図６に、図５に示した入力キー識別情報が端末装置の制御装置に入力された場合に、制御装置が、入力された複数の入力キー識別情報に基づいて判別した暗証番号を示す。
【００１７】
図１に示すように、本実施の形態の情報入力装置は、会員が携帯する人体側通信装置１００と、複数の入力キー（タッチキー）２００ａ〜２００ｎを有するキーパネル（タッチパネル）２００が設けられた端末装置３００を備えている。
人体側通信装置１００は、図２に示すように、会員となった遊技者（以下では、「会員」という）の遊技者ＩＤ（以下では、「会員ＩＤ」という）「００１０」がメモリに記憶された会員カード１１０と送受信器１２０を有している。送受信器１２０には、会員カード１１０を着脱自在に装着する装着部が設けられている。会員カード１１０を送受信器１２０の装着部に装着すると、会員カード１１０に設けられた接続部（特に図示していない。）が送受信器１２０に設けられた接続部（特に図示していない。）と接続され、会員カード１１０と送受信器１２０は互いの接続部を介して電気的に接続される。
送受信器１２０には、ＣＰＵ等で構成された制御装置１２１、信号送信部１２２、信号受信部１２３、電極１２４，１２５が設けられている。信号送信部１２２と信号受信部１２３は、制御装置１２１によって、いずれか一方が動作するように構成されている。なお、図２では、この構成をスイッチにより表記しているが、実際にスイッチが配設されている必要はなく、制御装置１２１からの制御信号によって、いずれか一方が動作するように構成されていればよい。なお、後述するように、端末装置３００が会員カード１１０に記憶されている会員ＩＤを読み取ることができれば、送受信器１２０の動作は適宜設定可能である。
ここで、信号送信部１２２と制御装置１２１との間での信号の伝送が行われる状態を「信号送信モード」、信号受信部１２３と制御装置１２１との間での信号の伝送が行われる状態を「信号受信モード」と称呼する。なお、初期状態では、図２に示すように、送受信器１２０は、「信号受信モード」に設定されている。また、信号送信部１２２には、電極１２４，１２５が接続されている。そして、信号受信部１２３にも、電極１２４，１２５が接続されている。電極１２４，１２５は、送受信器１２０の表面に設けられている。これにより、信号送信部１２２及び信号受信部１２３は、人体を含む信号伝送を介して信号の送信及び受信が可能である。
【００１８】
一方、図1及び図３に示すように、端末装置３００のキーパネル２００は、それぞれ導電性のタッチ電極により構成されている複数の入力キー２００ａ〜２００ｎを有している。複数の入力キーの表面側には、アルファベットやひらがな等の文字が表記されている。また、キーパネル２００には。入力キー２００ａ〜２００ｎがタッチされたことを検出するタッチセンサが設けられている。
また、端末装置３００には、ＣＰＵ等で構成された制御装置３０１、信号送信部３０２、信号受信部３０３、記憶手段３０４が設けられている。信号送信部３０２と信号受信部３０３は、制御装置３０１によって、いずれか一方が動作するように設定される。ここで、信号送信部３０２が動作するように設定された場合の端末装置３００の状態を「信号送信モード」、信号受信部３０３が動作するように設定された場合の端末装置３００の状態を「信号受信モード」と称呼する。なお、初期状態では、図３に示すように、端末装置３００は、「信号送信モード」に設定されている。記憶手段３０４は、制御装置３０１に接続されている。
なお、「信号送信モード」と「信号受信モード」が一定時間毎に交互に設定されるように動作させることもできる。
記憶手段３０４には制御装置３０１が動作するためのプログラムや、各入力キーに対応する文字情報識別情報やコマンド情報識別情報等が記憶されている。本実施の形態では、入力キーの座標情報に対応させて、入力キーに対応する文字情報を示す文字情報識別情報や入力キーに対応するコマンド情報を示すコマンド情報識別情報）が記憶されている。
また、端末装置３００の信号受信部３０３および信号送信部３０２には、キーパネル２００の各入力キーのタッチ電極が接続されている。
また、制御装置３０１には、キーパネル２００のタッチセンサが接続されている。そして、会員が入力キーにタッチ（接触）すると、タッチセンサから、会員がタッチした入力キーの座標情報が制御装置３０１に入力される、例えば、入力キーがｘ−ｙ平面上に配置されている場合には、入力キーのｘ−ｙ平面上の位置を示す座標情報が制御装置３０１に入力される。なお、制御装置３０１は、入力キーの座標情報が入力されたことにより、会員が入力キーにタッチしたことを判別する。
【００１９】
この構成により、人体側通信装置１００を携帯している会員が、キーパネル２００の入力キーにタッチすると、会員がタッチした入力キーの座標情報が制御装置３０１に入力される。制御装置３０１は、入力キーの座標情報が入力されたことにより会員が入力キーにタッチしたことを判別し、信号送信部３０２を動作させる。これにより、信号送信部３０２から、キーパネル２００の会員がタッチ（接触）したキー、会員の人体、送受信器１２０の電極１２４等を含む信号伝送路を介して人体側通信装置１００に「会員ＩＤ要求信号」が送信される。制御装置３０１は、人体通信装置１００に「会員ＩＤ要求信号」を送信すると、端末装置３００を「信号受信モード」に切り替える。
人体側通信装置１００の制御装置１２１は、信号受信部１２３で「会員ＩＤ要求信号」を受信すると、送受信器１２０を「信号送信モード」に切り替える。そして、制御装置１２１は、会員カード１１０のメモリに記憶されている会員ＩＤを、信号送信部１２２から、電極１２４、会員の人体、会員がタッチしたキーパネル２００の入力キーを含む信号伝送路を介して端末装置３００に送信する。
端末装置３００は、信号受信部３０３で会員ＩＤを受信する。
以上により、端末装置３００は、入力キーと人体を含む信号伝送路を介して人体側通信装置１０と通信を行い、人体側通信装置１００のメモリ（人体通信装置１００に装着されている会員カード１１０）に記憶されている会員ＩＤを読み取る。
また、会員が入力キーを操作することで、キーパネル２００に設けられたタッチセンサにより、操作された入力キーの座標情報が、端末装置３００の制御装置３０１に入力される。例えば、「Ｋ」と表記されている入力キーの座標情報が制御装置３０１に入力されると、制御装置３０１は、記憶手段３０４に記憶されている、この座標情報に対応する文字情報を読み出し、文字情報「Ｋ」が入力されたことを判別する。
このように、会員が入力キーにタッチする毎に、端末装置３００から、タッチされたキーと人体を含む信号伝送路を介する人体通信装置１００への「会員ＩＤ要求信号」の送信、人体側通信装置１００から、タッチされたキーと人体を含む信号伝送路を介する端末装置３００への「会員ＩＤ」の送信が繰り返される。また、会員が入力キーにタッチする毎に、端末装置３００は、タッチされた入力キーの座標情報を判別する。
【００２０】
例えば、図４を用いて、会員ＩＤ「００１０」の会員が、暗証番号（入力情報）「ＫＯＨＮ」を、キーパネル２００を用いて入力する場合の動作について説明する。
まず、会員はキーパネル２００に設けられているスタートキーＳにタッチ（操作）する。これにより、端末装置３００の制御装置３０１は、会員の人体とスタートキーＳを含む信号伝送路を介して、人体通信装置１００に装着されている会員カード１１０に記憶されている会員ＩＤ「００１０」を読み出す。また、制御装置３０１には、タッチされたスタートキーＳの座標情報が入力される。
次に、会員は、キーパネル２００に設けられている「Ｋ」と表記された入力キーにタッチ（操作）する。これにより、制御装置３０１は、会員の人体と「Ｋ」と表記された入力キーを含む信号伝送路を介して、人体通信装置１００に装着されている会員カード１１０に記憶されている会員ＩＤ「００１０」を読み出す。また、制御装置３０１には、「Ｋ」と表記されたキーの座標情報が入力される。
同様にして、会員が、「Ｏ」と表記された入力キー、「Ｈ」と表記された入力キー、「Ｎ」と表記された入力キー、「エンドキー」に順次タッチする毎に、制御装置３０１は、会員の人体と各入力キーを含む信号伝送路を介して、会員ＩＤ「００１０」を読み出す。また、制御装置３０１には、タッチされた入力キーの座標情報が順次入力される。
【００２１】
これにより、端末装置３００の記憶手段３０４には、図５に示すように、タッチされた入力キーの座標情報（ｓ１）と読み出した会員ＩＤ（ｓ２）が、入力された順に記憶される。端末装置３００の制御装置３０１は、各入力キーの座標情報（ｓ１）により、入力された文字あるいはコマンド（スタートやエンド）を判別し、スタートキーＳがタッチされてからエンドキーＥがタッチされるまでの間にタッチされた入力キーの座標情報を、入力された順に並べる。そして、制御装置３０１は、各入力キーの座標情報を文字情報識別情報やコマンド情報識別情報に変換し、図６に示すように、会員ＩＤ「００１０」の会員が入力した暗証番号（入力情報）が「ＫＯＨＮ」であることを判別する。
端末装置３００の記憶手段３０４には、予め、会員ＩＤに対応する暗証番号が記憶されており（特に図示していない。）、制御装置３０１は、判別した暗証番号「ＫＯＨＮ」と、会員ＩＤ「００１０」に対応して記憶手段３０４に記憶されている暗証番号を照合する。照合の結果、両者が一致した場合、すなわち、認証ＯＫである場合には、例えば、当該会員は、キーパネル２００を用いて認証された会員にのみ提供される特典情報等を要求することができる。
【００２２】
以上では、キーパネル２００を用いて一人の会員が暗証番号を入力する場合について説明したが、キーパネル２００を用いて、同時に複数の会員が暗証番号を入力することもできる。
次に、図７〜図１０を参照して、第１の実施の形態の情報入力装置を用いて、二人の会員（会員ＩＤ「００１０」の会員と、会員ＩＤ「００２０」の会員）がキーパネル２００を用いて暗証番号を同時に入力する場合について説明する。
図７は、人体側通信装置を携帯している各会員がキーパネル２００の入力キーにタッチした時に、端末装置３００の制御装置３０１に入力される情報を説明する図である。図８は、制御装置３０１に入力された入力キーの座標情報と、人体側通信装置に装着されている会員カードから読み出した（人体側通信装置から受信した）会員ＩＤの一例を示す。図９は、図８に示した入力キーの座標情報を、会員ＩＤ毎に並べ替えた状態を示す。図１０は、図９に示した入力キーの座標情報に基づいて、制御装置３０１により判別された暗証番号を示す。
【００２３】
図１に点線で示すように、会員ＩＤ「００２０」の会員は、会員ＩＤ「００２０」が記憶されている会員カード１１１が装着された、送受信器を含む人体側通信装置を携帯している。送受信器、端末装置３００の構成は、前述した第１の実施の形態と同様であるので説明を省略する。
そこで、図７を用いて、会員ＩＤ「００１０」の会員が暗証番号（入力情報）「ＫＯＨＮ」を、会員ＩＤ「００２０」の会員が暗証番号（入力情報）「６１４」を、キーパネル２００を用いて入力する場合の情報入力装置の動作について説明する。
まず、会員ＩＤ「００１０」の会員は、キーパネル２００に設けられているスタートキーＳにタッチする。これにより、制御装置３０１は、当該会員の人体とスタートキーＳを含む信号伝送路を介して、人体側通信装置に装着されている会員カード１１０に記憶されている会員ＩＤ「００１０」を読み出す。また、制御装置３０１には、タッチされたスタートキーＳの座標情報が入力される。
次に、会員ＩＤ「００１０」の会員は、キーパネル２００に設けられている「Ｋ」と表記された入力キーにタッチする。これにより、制御装置３０１は、当該会員の人体と「Ｋ」と表記された入力キーを含む信号伝送路を介して、人体側通信装置に装着されている会員カード１１０に記憶されている会員ＩＤ「００１０」を読み出す。また、制御装置３０１には、「Ｋ」と表記された入力キーの座標情報が入力される。
次に、会員ＩＤ「００２０」の会員がキーパネル２００に設けられているスタートキーＳを操作する。これにより、制御装置３０１は、当該会員の人体とスタートキーＳを含む信号伝送路を介して、人体側通信装置に装着されている会員カード１１１に記憶されている会員ＩＤ「００２０」を読み出す。また、制御装置３０１には、操作されたスタートキーＳの座標情報が入力される。
同様にして、会員ＩＤ「００１０」の会員が「Ｏ」と表記された入力キー、「Ｈ」と表記された入力キーに順次タッチする毎に、当該会員の人体と各入力キーを含む信号伝送路を介して人体側通信装置に装着されている会員カード１１０に記憶されている会員ＩＤ「００１０」を示す情報を読み出す。また、制御装置３０１には、タッチされた入力キーの座標情報が入力される。
また、同様にして、会員ＩＤ「００２０」の会員が「６」と表記された入力キー、「１」と表記された入力キーに順次タッチする毎に、当該会員の人体と各キーを含む信号伝送路を介して人体側通信装置に装着されている会員カード１１１に記憶されている会員ＩＤ「００２０」を読み出す。また、制御装置３０１には、タッチされた入力キーの座標情報が入力される。
次に、会員ＩＤ「００１０」の会員が「Ｎ」と表記された入力キーにタッチすると、制御装置３０１は、当該会員の人体と「Ｎ」と表記されたキーを含む信号伝送路を介して会員ＩＤ「００１０」を読み出す。制御装置３０１には、「Ｎ」と表記された入力キーの座標情報が入力される。
次に、会員ＩＤ「００２０」の会員が「４」と表記されたキーをタッチすると、制御装置３０１は、当該会員の人体と「４」と表記された入力キーを含む信号伝送路を介して会員ＩＤ「００２０」を読み出す。制御装置３０１には、「４」と表記された入力キーの座標情報が入力される。
そして、会員ＩＤ「００２０」の会員がエンドキーＥをタッチすると、制御装置３０１は、当該会員の人体とエンドキーＥを含む信号伝送路を介して会員ＩＤ「００２０」を読み出す。また、制御装置３０１には、エンドキーＥの座標情報が入力される。
また、会員ＩＤ「００１０」の会員がエンドキーＥをタッチすると、制御装置３０１は、当該会員の人体とエンドキーＥを含む信号伝送路意を介して会員ＩＤ「００１０」を読み出す。制御装置３０１には、エンドキーＥの座標情報が入力される。
【００２４】
これにより、端末装置３００の記憶手段３０４には、図８に示すように、入力された入力キーの座標情報（ｔ１）と読み出した会員ＩＤ（ｔ２）が、入力された順に記憶される。
端末装置３００の制御装置３０１は、各入力キーの座標情報（ｔ１）に対応する文字情報識別情報やコマンド情報識別情報（スタート情報識別情報やエンド情報識別情報）を判別する。そして、会員ＩＤ毎に、スタートキーＳがタッチ（操作）されてからエンドキーＥがタッチ（操作）されるまでの間にタッチされた入力キーの文字情報を判別し、入力された順に並べる（図９参照）。そして、制御装置３０１は、図１０に示すように、会員ＩＤ「００１０」の会員が入力した暗証番号（入力情報）が「ＫＯＨＮ」であり、会員ＩＤ「００２０」の会員が入力した暗証番号（入力情報）が「６１４」であることを判別する。
端末装置３００の記憶手段３０４には、予め、各会員ＩＤに対応する暗証番号が記憶されており（特に図示していない。）、制御装置３０１は、判別した暗証番号「ＫＯＨＮ」と、会員ＩＤ「００１０」に対応して記憶手段３０４に記憶されている暗証番号を照合する。照合の結果、両者が一致した場合、すなわち認証ＯＫである場合には、例えば、当該会員は、キーパネル２００を用いて会員にのみ提供される特典情報等を要求することができる。また、制御装置３０１は、判別した暗証番号「６１４」と、会員ＩＤ「００２０」に対応して記憶手段３０４に記憶されている暗証番号を照合する。照合の結果、両者が一致する場合（認証がＯＫの場合）には、例えば、当該会員は、キーパネル２００を用いて会員にのみ提供される特典情報等を要求することができる。
本実施の形態の「入力キー」は本発明の「入力部」に対応し、「端末装置３００」は本発明の「端末装置」に対応する。本実施の形態の「会員ＩＤ」は本発明の「個人識別情報」に対応し、本実施の形態の「会員カード１１０」は本発明の「人体側通信装置の記憶手段」に対応し、「会員カード１１０」と「送受信器１２０」により本発明の「人体側通信装置」が構成される。また、本実施の形態の「入力キーの座標情報」は本発明の「入力部識別情報」に対応する。また、本実施の形態の「暗証番号」は、本発明の「入力情報」に対応する。
【００２５】
本実施の形態の情報入力装置を用いれば、端末装置３００は、会員が入力キーにタッチ（操作）する毎に、操作された入力キーの座標情報を入力するとともに、会員の人体とタッチされた入力キーを含む信号伝送路を介して人体側通信装置に装着されている会員カードに記憶されている会員ＩＤを読み取る。そして、端末装置３００は、同じ会員ＩＤを読み取った複数の入力キーの座標情報を、各入力キーがタッチされた順序（入力キー識別情報が入力された順序）に組み合わせ、組み合わせた入力キーの座標情報に基づいて入力情報（例えば、暗証番号）を判別する。
これにより、会員は、会員カードが装着された人体側通信装置を携帯するだけでよく、会員カードを遊技機のカード挿入口等に挿入する作業が不要であるため、会員の操作が簡略化される。
また、入力キーにタッチして入力情報を構成する文字情報を入力中に、他の会員が入力キーにタッチした場合でも、各会員毎の正しい入力情報を入力することができる。
【００２６】
また、本実施の形態の情報入力装置を用いれば、端末装置３００は、同じ会員ＩＤを読み取った複数の入力キーの座標情報を、各入力キーがタッチされた順序に組み合わせ、組み合わせた入力キーの座標情報に基づいて入力情報を判別するため、複数の会員が同じキーパネル２００を用いて同時に入力情報を入力することができる。
これにより、情報入力装置の数を増やすことなく、各会員の入力情報を容易に入力することができる。
【００２７】
本実施の形態では、複数の入力キーの座標情報の組み合わせの最初の入力キーの座標情報を判別する方法としてスタートキーＳがタッチ（操作）されたことを判別し、複数の入力キーの座標情報の組み合わせの最後の入力キーの座標情報を判別する方法としてエンドキーＥがタッチ（操作）されたことを判別する方法を用いたが、最初の入力キーの座標情報を判別する方法や最後の入力キーの座標情報を判別する方法はこれに限定されない。例えば、前回入力キーの座標情報が入力されてから所定時間経過しても次の入力キーの座標情報が入力されないことを判別した場合には、前回入力された入力キーの座標情報が組み合わせの最後の入力キーの座標情報であることを判別する方法を用いることができる。あるいは、前回入力キーの座標情報が入力されてから所定時間経過した後に入力キーの座標情報が入力された場合には、当該入力された入力キーの座標情報が組み合わせの最初の入力キーの座標情報であることを判別する方法を用いることができる。
また、本実施の形態では、入力キー識別情報として各入力キーの座標情報を用いたが、入力キー識別情報としては、タッチ（操作）された入力キーを特定できる情報であればよい。例えば、入力キーの番号を示す入力キー番号情報や、入力キーに対応する文字情報を示す文字情報識別情報や入力キーに対応するコマンド情報識別情報を入力キー識別情報として用いることができる。入力キー識別情報として入力キーに対応する文字情報識別情報やコマンド識別情報を用いる場合には、入力キー識別情報を文字情報識別情報やコマンド情報識別情報に変換する処理が不要となり、端末装置の処理負担を軽減することができる。
また、入力キーがタッチ（操作）されたことを検出する検出手段としてタッチセンサを用いたが、これ以外の種々のセンサを用いることができる。
また、本実施の形態では、入力情報として、入力キーに対応する文字情報を複数組み合わせて構成される暗証番号を入力する場合について説明したが、入力情報としては、入力キーに対応する文字情報を複数組み合わせて構成される種々の情報を入力することができる。
また、端末装置３００が人体側通信装置１００に装着されている会員カードに記憶されている会員ＩＤを読み取る方法は、実施の形態で説明した方法に限定されない。また、端末装置３００や人体側通信装置１００の構成は実施の形態で説明した構成に限定されない。例えば、端末装置３００の信号送信部３０２及び信号受信部３０３や人体側通信装置１００信号送信部１２２及び信号受信部１２３の動作は実施の形態で説明した動作に限定されない。
【００２８】
（第２の実施の形態）
次に、本発明の第２の実施の形態を、図１１〜図１４を参照しつつ説明する。本実施の形態の情報入力装置は、端末装置に接続された管理装置を備え、入力キー識別情報である入力キーの座標情報を端末装置から管理装置に送信し、管理装置で入力情報である暗証番号を判別する。
図１１は、人体側通信装置を携帯する会員がキーパネル２００の入力キーにタッチ（操作）した場合に、制御装置３０１に入力される情報を説明する図である。図１２は、管理装置が端末装置３００から受信した入力キーの座標情報と会員ＩＤの一例を示す。図１３は、図１２に示した入力キーの座標情報を、会員ＩＤ毎に並べ替えた状態を示す。図１４は、図１３に示した入力キーの座標情報に基づいて、管理装置により判別された会員ＩＤ毎の暗証番号を示す。
【００２９】
本実施の形態では、図３に点線で示すように、端末装置３００に通信部３０５が設けられている。通信部３０５は、有線あるいは無線により、管理装置４００と通信可能な構成となっている。なお、送受信器、キーパネル２００、端末装置３００の構成は、前述した第１の実施の形態と同様であるので説明を省略する。
そこで、図１１に戻って、会員ＩＤ「００１０」の会員が暗証番号（入力情報）「ＫＯＨＮ」を、会員ＩＤ「００２０」の会員が暗証番号（入力情報）「６１４」を、キーパネル２００を用いて入力する場合の情報入力装置の動作について説明する。
まず、会員ＩＤ「００１０」の会員がキーパネル２００に設けられているスタートキーＳにタッチする。これにより、端末装置３００の制御装置３０１は、会員の人体とスタートキーＳを含む信号伝送路を介して、人体側通信装置に装着されている会員カード１１０に記憶されている会員ＩＤ「００１０」を読み取る。また、制御装置３０１には、スタートキーＳの座標情報が入力される。制御装置３０１は、通信部３０５を用い（併せて、図３参照）、管理装置４００に、会員ＩＤ「００１０」と、スタートキーＳの座標情報を送信する。
次に、会員ＩＤ「００１０」の会員はキーパネル２００に設けられている「Ｋ」と表記された入力キーにタッチする。これにより、制御装置３０１は、会員の人体と「Ｋ」と表記された入力キーを含む信号伝送路を介して、人体側通信装置に装着されている会員カード１１０に記憶されている会員ＩＤ「００１０」を読み取る。また、制御装置３０１には、「Ｋ」と表記された入力キーの座標情報が入力される。制御装置３０１は、通信部３０５を用い、管理装置４００に、会員ＩＤ「００１０」を示す情報と、「Ｋ」と表記された入力キーの座標情報を、タッチされた順に送信する。
以降、同様にして、会員ＩＤ「００２０」の会員によりスタートキーＳが、次に、会員ＩＤ「００１０」の会員により「Ｏ」と表記された入力キーが、次に、会員ＩＤ「００１０」の会員により「Ｈ」と表記された入力キーが、次に、会員ＩＤ「００２０」の会員により「６」と表記された入力キーが、次に、会員ＩＤ「００２０」の会員により「１」と表記された入力キーが、次に、会員ＩＤ「００１０」の会員により「Ｎ」と表記された入力キーが、次に、会員ＩＤ「００１０」の会員により「４」と表記された入力キーが、次に、会員ＩＤ「００２０」の会員によりエンドキーＥが、次に、会員ＩＤ「００１０」の会員によりエンドキーＥがタッチされる。制御装置３０１は、タッチされた入力キーを介して、人体側通信装置に装着されている会員カードに記憶されている会員ＩＤを読み取るとともに、タッチされた入力キーの座標情報を入力する。そして、制御装置３０１は、各入力キーの座標情報と、各入力キーを介して読み取った会員ＩＤを管理装置４００に送信する。
【００３０】
これにより、管理装置４００の記憶手段（特に図示していない。）には、図１２に示すように、端末装置３００から受信した入力キーの座標情報（ｕ１）と受信した会員ＩＤ（ｕ２）が、受信した順に記憶される。管理装置４００の制御装置（特に図示していない。）は、各入力キーの座標情報（ｕ１）に基づいて、入力された文字情報あるいはコマンド情報（スタート情報やエンド情報）を判別する。そして、会員ＩＤ毎に、スタートキーＳがタッチされてからエンドキーＥがタッチされるまでの間にタッチされた入力キーに対応する文字情報を入力された順に並べる（図１３参照）。この場合、制御装置は、図１４に示すように、会員ＩＤ「００１０」の会員が入力した暗証番号（入力情報）が「ＫＯＨＮ」であり、会員ＩＤ「００２０」の会員が入力した暗証番号（入力情報）が「６１４」であることを判別する。
管理装置４００の記憶手段には、予め、各会員ＩＤに対応する暗証番号が記憶されており（特に図示していない。）、管理装置４００は、判別した暗証番号「ＫＯＨＮ」と、会員ＩＤ「００１０」に対応して記憶手段に記憶されている暗証番号を照合する。照合の結果、認証ＯＫである場合には、例えば、当該会員は、キーパネル２００を用いて会員にのみ提供される特典情報等を要求することができる。また、管理装置４００は、判別した暗証番号「６１４」と、会員ＩＤ「００２０」に対応して記憶手段に記憶されている暗証番号を照合する。照合の結果、認証ＯＫである場合には、例えば、当該会員は、キーパネル２００を用いて会員にのみ提供される特典情報等を要求することができる。
【００３１】
本実施の形態の情報入力装置によれば、会員が入力キーにタッチ（操作）する毎に、端末装置３００の制御装置３０１は、タッチ（操作）された入力キーの座標情報を読み取るとともに、会員の人体とタッチ（操作）された入力キーを含む信号伝送路を介して人体側通信装置に装着されている会員カードに記憶されている会員ＩＤを読み取る。そして、端末装置３００の制御装置３０１は、入力された入力キーの座標情報と読み取った会員ＩＤを管理装置４００に、タッチされた順に送信する。管理装置４００では、端末装置３００から受信した入力キーの座標情報と会員ＩＤに基づいて、会員ＩＤに対応させて、入力キーの座標情報を受信順に並べる。そして、会員ＩＤに対応する、複数の入力キーの座標情報の組み合わせに基づいて、会員が入力した暗証情報を判別する。
これにより、会員は、会員カードが装着された人体側通信装置を携帯するだけでよく、会員カードを遊技幾のカード挿入口等に挿入する作業が不要であるため、会員の操作が簡略化される。
【００３２】
また、本実施の形態の情報入力装置を用いれば、複数の入力キーの座標情報の組み合わせに対応する入力情報の判別処理を管理装置で行っている。
これにより、端末装置の処理負担が軽減される。
また、入力情報として暗証情報が入力される場合、複数の入力キーの座標情報の組み合わせに対応する暗証情報を判別する処理と、判別した暗証番号をあらかじめ記憶されている暗証番号と比較する処理が必要となる。このような、処理を管理装置で行うことにより、端末装置等の数の増減等の変更に対して、安価に迅速に対応することができる。
また、入力キーにタッチして入力情報を構成する文字情報を入力中に、他の会員が入力キーにタッチした場合でも、各会員の入力情報を正しく入力することができる。
また、本実施の形態の情報入力装置を用いれば、管理装置４００は、同じ会員ＩＤを読み取った複数の入力キーの座標情報を、各入力キーがタッチされた順序に組み合わせ、組み合わせた入力キーの座標情報に基づいて入力情報を判別する。このため、複数の会員が同じキーパネル２００を用いて同時に入力情報を入力することができる。
これにより、情報入力装置の数を増やすことなく、各会員の入力情報を容易に入力することができる。
【００３３】
以上では、入力キーの座標情報を文字情報識別情報やコマンド情報識別情報に変換することによって入力キーに対応する文字情報識別情報やコマンド情報識別情報を判別する処理を管理装置で行ったが、入力キーに対応する文字情報識別情報やコマンド情報識別情報を判別する処理は端末装置で行うこともできる。この場合には、端末装置は、文字情報識別情報やコマンド情報識別情報を入力キー識別情報として管理装置に送信する。
（第２の実施の形態の変更例１）
次に、図１５を参照して、端末装置３００の制御装置３０１が、入力された入力キーの座標情報を文字情報識別情報やコマンド情報識別情報に変換し、変換した文字情報識別情報やコマンド情報識別情報と読み取った会員ＩＤを、入力キーの座標情報の入力順に管理装置４００に送信する場合について説明する。
図１５は、会員カードが装着された人体側通信装置を携帯している会員がキーパネル２００の入力キーにタッチ（操作）した時に端末装置３００の制御装置３０１に入力される情報を説明する図である。
【００３４】
まず、会員ＩＤ「００１０」の会員がキーパネル２００に設けられているスタートキーＳにタッチ（操作）する。これにより、端末装置３００の制御装置３０１は、会員の人体とスタートキーＳを含む信号伝送路を介して、人体側通信装置１００に装着されている会員カード１１０に記憶されている会員ＩＤ「００１０」を読み取る。また、制御装置３０１には、スタートキーＳの座標情報が入力される。制御装置３０１は、スタートキーＳの座標情報を、スタートコマンド情報を示すスタートコマンド情報識別情報に変換する。そして、制御装置３０１は、通信部３０５を用い（併せて、図３参照）、管理装置４００に、会員ＩＤ「００１０」と、スタートコマンド情報識別情報を送信する。
次に、会員ＩＤ「００１０」の会員はキーパネル２００に設けられている「Ｋ」と表記された入力キーにタッチする。これにより、制御装置３０１は、会員の人体と「Ｋ」と表記されたキーを含む信号伝送路を介して、人体側通信装置１００に装着されている会員カード１１０に記憶されている会員ＩＤ「００１０」を読み取る。また、制御装置３０１には、「Ｋ」と表記された入力キーの座標情報が入力される。制御装置３０１は、「Ｋ」と表記された入力キーの座標情報を、文字情報「Ｋ」を示す文字情報識別情報に変換する。そして、制御装置３０１は、通信部３０５を用い、管理装置４００に、会員ＩＤ「００１０」と「Ｋ」を示す文字情報識別情報を送信する。
以降、同様にして、会員ＩＤ「００２０」の会員によりスタートキーＳが、次に、会員ＩＤ「００１０」の会員により「Ｏ」と表記された入力キーが、次に、会員ＩＤ「００１０」の会員により「Ｈ」と表記された入力キーが、次に、会員ＩＤ「００２０」の会員により「６」と表記された入力キーが、次に、会員ＩＤ「００２０」の会員により「１」と表記された入力キーが、次に、会員ＩＤ「００１０」の会員により「Ｎ」と表記された入力キーが、次に、会員ＩＤ「００１０」の会員により「４」と表記された入力キーが、次に、会員ＩＤ「００２０」の会員によりエンドキーＥが、次に、会員ＩＤ「００１０」の会員によりエンドキーＥがタッチされる。制御装置３０１は、人体側通信装置１００に装着されている会員カード１１０に記憶されている会員ＩＤを読み取るとともに、タッチされた入力キーの座標情報が入力される。また、制御装置３０１は、入力された入力キーの座標情報を文字情報識別情報やコマンド情報識別情報に変換する。そして、制御装置３０１は、変換した文字情報識別情報やコマンド情報識別情報と読み取った会員ＩＤを管理装置４００に送信する。
【００３５】
これにより、管理装置４００の記憶手段（特に図示していない。）には、端末装置３００の制御装置３０１から受信した文字情報識別情報やコマンド情報識別情報と会員ＩＤが、受信した順に記憶される。管理装置４００の制御装置（特に図示していない。）は、各文字情報識別情報とコマンド情報識別情報（スタートコマンド情報識別情報やエンドコマンド情報識別情報）を判別し、会員ＩＤ毎に、スタートコマンド情報識別情報を受信してからエンドコマンド情報識別情報を受信するまでの間に受信した文字情報識別情報を受信した順に並べる。
そして、管理装置４００の制御装置は、受信した複数の文字情報識別情報に基づいて、入力情報である暗証番号を判別する。この場合、会員ＩＤ「００１０」の会員が入力した暗証番号（入力情報）が「ＫＯＨＮ」であり、会員ＩＤ「００２０」の会員が入力した暗証番号（入力情報）が「６１４」であることを判別する。
【００３６】
本実施の形態の情報入力装置によれば、端末装置３００の制御装置３０１は、入力キーの座標情報に対応する文字情報識別情報やコマンド情報識別情報を管理装置４００に送信する。そして、管理装置４００の制御装置は、端末装置から受信した文字情報識別情報やコマンド情報識別情報に基づいて、受信順の文字情報識別情報の組み合わせである入力情報（この場合、暗証番号）を判別する。
これにより、管理装置４００の処理負担が軽減される。一般的に、遊技場の管理装置４００は、遊技機の遊技機情報等多くの情報を管理している。したがって、本実施の形態の情報入力装置を用いて管理装置４００の処理負担を軽減することは有意義である。
【００３７】
また、以上では、管理装置４００は、端末装置３００から受信した入力キー識別情報（例えば、入力キーの座標情報あるいは文字情報識別情報やコマンド情報識別情報）を、受信順に並べている。このため、端末装置３００の制御装置３０１は、入力キー識別情報を入力キーが操作された順に管理装置４００に送信し、また、管理装置４００は、受信した入力キー識別情報を受信した順に記憶する必要がある。この場合、入力キーが操作された時刻あるいは操作された入力キーを介して会員ＩＤを読み取った時刻示す時刻情報を付加することによって、端末装置３００の制御装置３０１の処理負担及び管理装置の制御装置の処理負担を軽減することができる。
（第２の実施の形態の変更例２）
次に、図１６〜図１９を参照して、端末装置３００から管理装置４００に、端末装置３００の制御装置３０１に入力された入力キーの座標情報と端末装置３００の制御装置３０１が読み取った会員ＩＤに加え、入力キーの座標情報が入力された時刻を示す時刻情報を管理装置に送信する場合について説明する。
図１６は、会員カードが装着された人体側通信装置を携帯している会員がキーパネル２００の入力キーを操作した時に端末装置３００の制御装置３０１に入力される情報を説明する図である。図１７は、管理装置４００が受信した入力キーの座標情報、各会員ＩＤと時刻情報の一例を示す。図１８は、図１７に示した情報に基づいて、入力キーの座標情報が、時刻情報に基づいて、会員ＩＤ毎に順に並べ替えられた状態を示す。図１９は、管理装置４００により判別された暗証番号を示す。
【００３８】
図１６に示すように、まず、会員ＩＤ「００１０」の会員がキーパネル２００に設けられているスタートキーＳにタッチ（操作）すると、端末装置３００の制御装置３０１は、会員の人体とスタートキーＳを含む信号伝送路を介して、人体側通信装置１００に装着されている会員カード１１０に記憶されている会員ＩＤ「００１０」を読み取る。また、制御装置３０１には、スタートキーＳの座標情報が入力される。
次に、会員ＩＤ「００１０」の会員はキーパネル２００に設けられている「Ｋ」と表記された入力キーにタッチする。これにより、制御装置３０１は、「Ｋ」と表記された入力キーを含む信号伝送路を介して人体側通信装置１００に装着されている会員カード１１０に記憶されている会員ＩＤ「００１０」を読み取る。また、制御装置３０１には、「Ｋ」と表記された入力キーの座標情報が入力される。
以降、同様にして、会員ＩＤ「００２０」の会員によりスタートキーＳが、次に、会員ＩＤ「００１０」の会員により「Ｏ」と表記された入力キーが、次に、会員ＩＤ「００１０」の会員により「Ｈ」と表記された入力キーが、次に、会員ＩＤ「００２０」の会員により「６」と表記された入力キーが、次に、会員ＩＤ「００２０」の会員により「１」と表記された入力キーが、次に、会員ＩＤ「００１０」の会員により「Ｎ」と表記された入力キーが、次に、会員ＩＤ「００１０」の会員により「４」と表記された入力キーがタッチされる。そして、制御装置３０１には、各入力キーの座標情報が入力される。また、制御装置３０１は、各会員の人体と各キーを含む信号伝送路を介して、人体側通信装置１００に装着されている会員カードに記憶されている会員ＩＤを読み取る。
なお、端末装置３００の制御装置３０１は、各入力キーの座標情報が入力された時刻を示す時刻情報を、各入力キーの座標情報に対応させて記憶している。
そして、会員ＩＤ「００２０」の会員によりエンドキーＥがタッチされると、制御装置３０１は、会員の人体とエンドキーＥを含む信号伝送路を介して、人体側通信装置１００に装着されている会員カード１１０ａに記憶されている会員ＩＤ「００２０」を読み取る。また、制御装置３０１は、会員ＩＤ「００２０」とともにエンドキーＥの座標情報が入力されると、会員ＩＤ「００２０」の会員が、スタートキーＳにタッチしてからエンドキーＥにタッチするまでの間にタッチした入力キーを判別する。すなわち、会員ＩＤ「００２０」とともにスタートキーＳの座標情報が入力されてから、会員ＩＤ「００２０」とともにエンドキーＥの座標情報が入力されるまでの間に、会員ＩＤ「００２０」とともに入力された入力キーの座標情報を判別し、抽出する。そして、制御装置３０１は、通信部３０５を用い（併せて、図３参照）、管理装置４００に、会員ＩＤ「００２０」と、抽出した各入力キーの座標情報と、各入力キーの座標情報に対応させて記憶されている時刻情報を送信する。
また、会員ＩＤ「００１０」の会員によりエンドキーＥがタッチされると、制御装置３０１は、会員の人体とエンドキーＥを含む信号伝送路を介して、人体側通信装置１００に装着されている会員カード１１０に記憶されている会員ＩＤ「００１０」を読み取る。また、制御装置３０１は、会員ＩＤ「００１０」とともにエンドキーＥの座標情報が入力されると、通信部３０５を用い、管理装置４００に、会員ＩＤ「００１０」と、会員ＩＤ「００１０」とともに入力された入力キーの座標情報と、各入力キーの座標情報に対応して記憶されている時刻情報を送信する。
【００３９】
これにより、管理装置４００の記憶手段には、図１７に示すように、時刻情報（ｗ０）、受信した入力キーの座標情報（ｗ１）と受信した会員ＩＤ（ｗ２）が記憶される。
管理装置４００の制御装置（特に図示していない。）は、各入力キーの座標情報（ｗ１）に対応する文字情報識別情報あるいはコマンド情報識別情報（スタートコマンド情報識別情報やエンドコマンド情報識別情報）を判別し、会員ＩＤ毎に、スタートキーＳがタッチされてからエンドキーＥがタッチされるまでの間にタッチされた入力キーに対応する文字情報識別情報を、時刻情報で示される時刻順に並べる（図１８参照）。そして、管理装置４００の制御装置は、会員ＩＤ「００１０」に対応する文字情報の組み合わせに基づいて、入力された暗証番号（入力情報）を判別する。この場合、入力された暗証情報が「ＫＯＨＮ」であり、会員ＩＤ「００２０」の会員が入力した暗証番号（入力情報）が「６１４」であることを判別する。
管理装置４００の記憶手段には、予め、各会員ＩＤに対応する暗証番号が記憶されており（特に図示していない。）、管理装置４００の制御装置は、判別した暗証番号「ＫＯＨＮ」と、会員ＩＤ「００１０」に対応して記憶手段に記憶されている暗証番号を照合する。照合の結果、認証ＯＫである場合には、例えば、当該会員は、キーパネル２００を用いて会員にのみ提供される特典情報等を要求することができる。また、管理装置４００の制御装置は、判別した暗証番号「６１４」と、会員ＩＤ「００２０」に対応して記憶手段に記憶されている暗証番号を照合する。照合の結果、認証ＯＫである場合には、例えば、当該会員は、キーパネル２００を用いて会員にのみ提供される特典情報等を要求することができる。
本実施の形態の「時刻情報」は本発明の「順序情報」、「時刻情報」に対応する。
【００４０】
本実施の形態の情報通信装置によれば、端末装置３００から、入力キーの座標情報とともに、入力キーの座標情報が入力された時刻を示す時刻情報が管理装置４００に送信される。
これにより、端末装置３００の制御装置３０１は、入力キーの座標情報を入力順に送信する必要がなく、また、管理装置４００の制御装置は、入力キーの座標情報を受信した順に並べる必要がない。したがって、端末装置３００の制御装置３０１での入力キーの座標情報の送信処理や、管理装置４００の制御装置での入力キーの座標情報の受信処理が容易となり、端末装置３００や管理装置４００の処理負担を軽減することができる。
なお、操作された入力キーの座標情報を入力する時刻と、操作された入力キーを介して会員ＩＤを読み取る時刻は殆ど同時刻である。したがって、入力キーの座標情報を入力した時刻を示す時刻情報を用いる態様と入力キーを介して会員ＩＤを読み取った時刻示す時刻情報を用いる態様は、同一の概念に含まれる。
また、入力キーの座標情報を纏めて端末装置３００から管理装置４００に送信したが、入力キーの座標情報を端末装置から管理装置４００に送信する方法はこれに限定されず種々の送信方法を用いることができる。
また、端末装置３００から管理装置４００に入力キーの座標情報を入力キー識別情報として送信したが、入力キーに対応する文字情報識別情報やコマンド情報識別情報を入力キー識別情報として送信することもできる。
また、順序情報として時刻情報を用いたが、順序情報は、入力キーが操作された順序を判別することができれば種々の情報を用いることができる。例えば、入力キーが操作された順番を示す順番情報を順序情報として用いることができる。この場合、会員ＩＤ毎に付与した順番情報を用いてもよいし、会員ＩＤに関係なく付与した順番情報を用いてもよい。管理装置４００は、入力キー識別情報を、会員ＩＤ毎に、順序情報に基づいて並べることによって各会員の入力情報を判別する。
また、第１の実施の形態と同様の変更、追加、削除が第２の実施の形態においても可能ダル。
なお、入力キー識別情報（例えば、座標情報）と個人識別情報（例えば、会員ＩＤ）を順序情報（例えば、会員ＩＤを読み取った時刻あるいは入力キーの座標情報を読み取った時刻を示す時刻情報や入力キーが操作された順番を示す順番情報）とともに記憶し、順序情報に基づいて入力情報を判別する技術は、第１の実施の形態にも適用することができる。
【００４１】
（第３の実施の形態）
次に、本発明の第３の実施の形態を、図２０を参照しつつ説明する。本実施の形態では、キーパネルに複数の入力領域が設けられている場合について説明する。
図２０は、会員カードが装着された人体側通信装置を携帯している二人の会員がキーパネルの入力キーにタッチした時に端末装置３００の制御装置３０１に入力される情報を説明する図である。
【００４２】
キーパネル５００には、入力領域Ａ、Ｂ、Ｃが設けられている。各入力領域には、入力キー表示部Ａ１，Ｂ１，Ｃ１と情報表示部Ａ２，Ｂ２，Ｃ２が対応して設けられている。また、各入力領域には、同じアルファベットや数字や記号等が表記された入力キーが設けられている。
まず、会員ＩＤ「００１０」の会員がキーパネル２００に設けられている入力領域ＡのスタートキーＳにタッチ（操作）する。これにより、端末装置３００の制御装置３０１は、会員の人体とスタートキーＳを含む信号伝送路を介して、人体通信装置１００に装着されている会員カード１１０に記憶されている会員ＩＤ「００１０」を読み取る。また、制御装置３０１には、スタートキーＳの座標情報と入力領域Ａを示す入力領域情報が入力される。制御装置３０１は、通信部３０５を用い、入力されたスタートキーＳの座標情報に対応するスタートコマンド情報識別情報と読み取った会員ＩＤ「００１０」を管理装置４００に送信する。
次に、会員ＩＤ「００１０」の会員は、キーパネル２００に設けられている入力領域Ａの「Ｋ」と表記された入力キーにタッチする。これにより、制御装置３０１は、会員の人体とＫ」と表記された入力キーを含む信号伝送路介して、人体通信装置１００に装着されている会員カード１１０に記憶されている会員ＩＤ「００１０」を読み取る。また、制御装置３０１には、「Ｋ」と表記された入力キーの座標情報と、入力領域Ａを示す入力領域情報が入力される。制御装置３０１は、通信部３０５を用い、「Ｋ」と表記された入力キーの座標情報に対応する文字情報識別情報と読み取った会員ＩＤ「００１０」を管理装置４００に送信する。
ここで、端末装置３００の制御装置３０１は、入力領域Ａに対応して設けられている入力キー表示部Ａ１に、操作された入力キーに対応する文字情報「Ｋ」を表示する。
次に、会員ＩＤ「００２０」の会員が、キーパネル２００に設けられている入力領域ＢのスタートキーＳを操作する。これにより、端末装置３００の制御装置３０１は、会員の人体とスタートキーＳを含む信号伝送路を介して、人体通信装置１００に装着されている会員カード１１０ａに記憶されている会員ＩＤ「００２０」を読み取る。また、制御装置３０１には、スタートキーＳの座標情報と入力領域Ｂを示す入力領域情報が入力される。制御装置３０１は通信部３０５を用いて、スタートキーＳの座標情報に対応するコマンド情報識別情報と会員ＩＤ「００２０」を管理装置４００に送信する。
以降、同様にして、会員ＩＤ「００１０」の会員により入力領域Ａの「Ｏ」と表記された入力キーが、次に、入力領域Ａの「Ｈ」と表記された入力キーがタッチされると、端末装置３００の制御装置３０１は、会員の人体と各入力キーを含む信号伝送路を介して人体通信装置１００に装着されている会員カード１１０に記憶されている会員ＩＤ「００１０」を読み取るとともに、各入力キーの座標情報と、入力キーの入力領域Ａを示す入力領域情報が入力される。制御装置３０１は、入力キーの座標情報が入力される毎に、入力された入力キーの座標情報を文字情報識別情報に変換し、会員ＩＤ「００１０」と変換した文字情報識別情報を管理装置４００に送信する。また、制御装置３０１は、入力領域Ａに設けられている入力キー表示部Ａ１に、操作された入力キーに対応する文字情報「Ｏ」、「Ｈ」を表示する。
また、会員ＩＤ「００２０」の会員により入力領域Ｂの「６」と表記された入力キーが、次に、入力領域Ｂの「１」と表記された入力キーがタッチされると、制御装置３０１は、会員の人体と各キーを含む信号伝送路介して人体通信装置１００に装着されている会員カード１１０ａに記憶されている会員ＩＤ「００２０」を読み取るとともに、各入力キーの座標情報と、入力領域Ｂを示す入力領域情報が入力される。制御装置３０１は、入力キーの座標情報が入力される毎に、入力された入力キーの座標情報を文字情報識別情報に変換し、会員ＩＤ「００２０」と変換した文字情報識別情報を管理装置４００に送信する。また、制御装置３０１は、入力領域Ｂに設けられている入力キー表示部Ｂ１に、操作された入力キーに対応する文字情報「６」、「１」を表示する。
以降、会員ＩＤ「００１０」の会員により入力領域Ａの「Ｎ」と表記された入力キーが、次に、会員ＩＤ「００２０」の会員により入力領域Ｂの「４」と表記された入力キーがタッチされた場合も同様である。
このように、タッチされた入力キーが文字情報に対応している場合には、端末装置３００の制御装置３０１は、タッチされた入力キーが設けられている入力領域に対応する入力キー表示部に、タッチされた入力キーに対応する文字情報を表示する。
【００４３】
そして、会員ＩＤ「００１０」の会員により入力領域ＡのエンドキーＥが操作されると、制御装置３０１は、会員の人体とエンドキーＥを含む信号伝送路を介して人体通信装置１００に装着されている会員カード１１０に記憶されている会員ＩＤ「００１０」を読み取るとともに、エンドキーＥの座標情報と、入力領域Ａを示す入力領域情報が入力される。制御装置３０１は、通信部３０５を用い、エンドキーＥの座標情報に対応するコマンド情報識別情報と会員ＩＤ「００１０」を管理装置４００に送信する。同様に、会員ＩＤ「００２０」の会員により入力領域ＢのエンドキーＥがタッチされると、制御装置３０１は、会員の人体と各キーを含む信号伝送路を介して人体通信装置１００に装着されている会員カード１１０ａに記憶されている会員ＩＤ「００２０」を読み取るとともに、エンドキーＥの座標情報と、入力領域Ｂを示す入力領域情報が入力される。制御装置３０１は、通信部３０５を用い、エンドキーＥの座標情報に対応するコマンド情報識別情報と会員ＩＤ「００２０」を管理装置４００に送信する。
管理装置４００は、第２の実施の形態（併せて、図１５参照）と同様にして、会員ＩＤ「００１０」の会員が入力した暗証番号（入力情報）が「ＫＯＨＮ」であり、会員ＩＤ「００２０」の会員が入力した暗証番号（入力情報）が「６１４」であることを判別する。
管理装置４００は、判別した暗証番号「ＫＯＨＮ」と、会員ＩＤ「００１０」に対応して記憶手段に記憶されている暗証番号を照合する。照合の結果、認証ＯＫである場合には、会員ＩＤ「００１０」に対応して記憶されている会員情報を記憶装置から読み出し、読み出した会員情報と会員ＩＤ「００１０」を示す情報を端末装置３００に送信する。端末装置３００の制御装置３０１は、会員ＩＤ「００１０」の会員が用いている入力領域（会員ＩＤ「００１０」を受信した入力キーが設けられている入力領域）を判別し、この入力領域Ａに設けられている情報表示部Ａ２に、管理装置４００から受信した会員情報を表示する。
会員ＩＤ「００２０」の会員についても同様である。
なお、入力キー表示部には、入力キーの座標情報が入力された回数（入力情報のうち、入力された桁数）が確認することができるように、例えば、入力キーが操作される毎にアスタリスクマーク等が表示されるように構成されていてもよい。これによれば、入力情報が暗証番号等の場合に、他人に表示部を見られて知られることがない。
【００４４】
本実施の形態では、キーパネル５００に複数の入力領域Ａ，Ｂ，Ｃが設けられているので、複数の会員が同時に入力情報を入力することができる。これにより、会員は、短時間で入力情報を入力することができる。
また、各入力領域に入力キー表示部Ａ１，Ｂ１，Ｃ１が設けられているので、会員は入力されたキーを確認しながら正確に入力操作を行うことができる。
【００４５】
また、各入力領域Ａ，Ｂ，Ｃに対応する情報表示部Ａ２，Ｂ２，Ｃ２に、各入力領域を用いて入力情報を入力している会員に提供する情報を表示することができる。
この場合には、管理装置４００の記憶装置に、各会員に提供する情報（例えば、各会員の遊技情報）を各会員の会員ＩＤに対応させて記憶する。各会員の遊技情報は、例えば、遊技店内に設けられている各遊技機の遊技機情報と当該遊技機で遊技を行っている会員の会員ＩＤを受信することによって収集することができる。会員ＩＤは、例えば、本発明の人体通信装置を用いて入力することができる。
また、端末装置３００の制御装置３０１は、入力キー識別情報（例えば、入力キーの座標情報あるいは文字情報識別情報やコマンド情報識別情報）と会員ＩＤとともに、操作された入力キーが配設されている入力領域を示す入力領域識別情報を管理装置４００に送信する。
管理装置４００の制御装置は、入力キー識別情報に基づいて判別した入力情報が、会員への情報の送信を要求する情報であった場合には、会員ＩＤに対応する情報（例えば、会員ＩＤに対応する遊技情報）を記憶装置から読み出す。そして、当該入力情報を構成する入力キー識別情報とともに受信した入力領域識別情報で示される入力領域Ａ，Ｂ，Ｃに対応する情報表示部Ａ２，Ｂ２，Ｃ２に表示する。情報表示部Ａ２，Ｂ２，Ｃ３に情報を表示する方法としては、情報を表示部Ａ２，Ｂ２，Ｃ３に直接に送信することによって表示する方法あるいは端末装置３００を介して送信することによって表示する方法を用いることができる。
このように構成することにより、各会員は、簡単な操作で自己の情報（例えば、遊技情報）を確認することができる。
【００４６】
本実施の形態では、キーパネル５００に入力領域Ａ，Ｂ，Ｃが設けられ、各入力領域に情報表示部Ａ２，Ｂ２，Ｃ２が配設されている場合について説明したが、キーパネルは、図２１に示すように、入力領域は１つであるが、情報表示部が複数配設されている構成としてもよい。
この場合、会員は、キーパネル５５０に配設されている入力キーを操作して、情報の送信を要求する入力情報を入力する。端末装置の制御装置は、操作された入力キーに対応する入力キー識別情報の組み合わせが情報の提供を要求する情報であった場合には、入力キーを介して読み取った会員ＩＤに対応する情報（例えば、遊技情報）を記憶装置から読み出す。
一方、各情報表示部には、複数の情報表示部と、各情報表示部に対応する表示部選択キーが設けられている。対応する情報表示部が選択されたことを示す表示部選択信号を出力する表示部選択キーとしては、会員が操作（接触）することによって表示部選択情報を出力する専用のキーを用いてもよいし、情報表示部の表示画面に人が接触したことを検出して表示部選択信号を出力するタッチセンサを用いてもよい。入力キーを操作して情報の提供を要求する入力情報を入力した会員は、所望の情報表示部を選択し、選択した情報表示部の表示部選択キーにタッチ（接触）する。これにより、端末装置の制御装置は、表示部選択キーが操作されたことを判別するとともに、当該表示部選択キーを介して、会員が携帯している人体通信装置に装着されている会員カードから会員ＩＤを読み取る。そして、読み取った会員ＩＤが、前述した情報の提供を要求する入力情報を入力した会員の会員ＩＤと一致する場合には、当該会員ＩＤに対応する情報を、当該表示部選択キーが設けられている情報表示部（当該表示部選択キーに対応する情報表示部）に表示する。このように構成することにより、各会員は、所望の情報表示手段で情報を確認することができる。
なお、本実施の形態では、端末装置を省略し、管理装置にキーパネル５５０を設け、管理装置により上記した動作が実行されるように構成されていてもよい。
また、以下のように構成することもできる。会員ＩＤに対応する情報が、管理装置で管理される記憶装置に記憶されているとともに、端末装置に管理装置が接続されている場合には、端末装置の制御装置により、操作された入力キーの入力キー識別情報と入力キーを介して読み取った会員ＩＤが、管理装置に送信される。そして、管理装置の制御装置により、操作された入力キーに対応する入力キー識別情報の組み合わせが情報の提供（送信）を要求する情報であることが判別された場合には、管理装置の制御装置は、受信した会員ＩＤに対応する情報（例えば、遊技情報）を記憶装置から読み出し、端末装置に送信する。端末装置は、上記した手順で表示部選択キーを介して読み取った会員ＩＤが、情報の提供（送信）を要求する入力情報を入力した会員の会員ＩＤ（管理装置に送信した会員ＩＤ）と一致する場合には、管理装置から受信した当該会員ＩＤに対応する情報を、当該表示部選択キーが設けられている情報表示部に表示する。
なお、表示部選択キーが操作されたことを判別するための端末装置（あるいは管理装置）の制御装置の構成（制御装置が動作するためのプログラムのステップ等）が、本発明の「表示部選択検出装置」に対応する。
また、以上では、入力キー識別情報を組み合わせた入力情報が情報の送信を要求する情報であった場合に、会員が選択した情報表示部に当該会員に対応する情報を表示部選択キーに対応する表示手段に表示したが、会員が情報表示部に対応する表示部選択キーを操作（接触）したことのみで、当該会員に対応する情報を、当該表示部選択キーに対応する情報表示部に表示するように構成することもできる。この場合には、会員が、自己の情報の表示を希望する情報表示部に対応する表示部選択キーを操作すると、端末装置の制御装置３０１は、表示部選択キーと人体を含む信号伝送路を介して、表示部選択キーを操作した会員が携帯している人体側通信装置に装着されている会員カードに記憶されている会員ＩＤを読み取り、読み取った会員ＩＤと会員が接触した表示部選択キーを示す表示部選択キー識別情報を管理装置４００に送信する。管理装置４００は、端末装置から送信された会員ＩＤと表示部選択キー識別情報を受信すると、受信した会員ＩＤに対応する情報を読み出し、読み出した情報を、受信した表示部選択キー識別情報で示される表示部選択キーに対応する情報表示部に表示する。なお、会員ＩＤに対応する情報を管理装置から端末装置の制御装置３０１に送信し、端末装置３０１により、会員が操作した表示部選択キーに対応する情報表示部に表示するように構成することもできる。
【００４７】
（第４の実施の形態）
以上の実施の形態では、人体用通信装置の記憶手段（第１〜第３の実施の形態では、人体用通信装置に装着されている会員カード）に予め記憶されている識別情報（第１〜第３の実施の形態では個人識別情報）を携帯した人がキーパネルの入力キーにタッチして入力情報を入力したが、人体用通信装置を携帯している人がキーパネルの入力キーをタッチすることによって、人体用通信装置の記憶手段に文字情報識別情報を記憶させることもできる。
以下に、本発明の第４の実施の形態を、図２２〜図２４を参照しつつ説明する。本実施の形態は、会員カードが装着された人体用通信装置を携帯している会員がキーパネルの入力キーをタッチすることによって、タッチされた入力キーの入力キー識別情報（例えば、入力キーの座標情報や文字情報識別情報）が、人体用通信装置に装着されている会員カードに記憶され、会員カードに記憶された入力キー識別情報を入力する情報入力装置として構成されている。
図２２には、本実施の形態の概略構成図を示す。図２３は、会員カードが装着されている人体用通信装置を携帯している会員がキーパネルの入力キーにタッチした時に人体用通信装置に入力される文字情報識別情報を説明する図である。図２４には、会員カードに記憶された文字情報識別情報を示す図である。
【００４８】
図２２に示すキーパネル６００に設けられている、入力情報を構成する文字情報に対応する各入力キー６００ａ〜６００ｎは導電性部材で構成されており、各入力キー６００ａ〜６００ｎには送信手段が設けられている。この送信手段は、入力キーに対応する入力キー識別情報（例えば、入力キーの座標情報や入力キーに対応する文字情報を示す文字情報識別情報）と記憶要求信号を、入力キーと人体を含む信号伝送路を介して送信する。送信手段としては、例えば、入力キーを構成する導電性部材が設けられているＩＣタグが用いられる。なお、入力キー識別情報の送信のみを送信して人体側通信装置に記憶させる方法も、入力キー識別情報を含む記憶要求信号を送信する方法に含まれる。
また、キーパネル６００には送信キー６１０が設けられている。送信キー６１０は、第１の実施の形態の入力キー２００ａ〜２００ｎ（併せて、図３参照）のようにタッチ電極で構成され、信号送信部３０４あるいは信号受信部３０３を介して、端末装置３００の制御装置３０１に接続されている。
本実施の形態では、入力キー６００ａ〜６００ｎに対応する入力キー識別情報（例えば、入力キーの座標情報あるいは入力キーに対応する文字情報を示す文字情報識別情報）が本発明の「入力部識別情報」に対応し、文字情報に対応する入力キー６００ａ〜６００ｎと当該入力キー６００ａ〜６００ｎに設けられている送信手段により本発明の「入力部識別情報送信部」が構成され、送信キー６１０が本発明の「入力部識別情報入力部」に対応する。
【００４９】
次に、図２３を用いて、会員ＩＤ「００１０」の会員が、キーパネル６００を用いて、暗証番号（入力情報）「ＫＯＨＮ」を入力する場合の情報入力装置の動作について説明する。
まず、会員は、会員カード１１０が装着された人体側通信装置１００を携帯した状態で、キーパネル６００に設けられている、文字情報に対応する入力キーを操作（接触）する。例えば、「Ｋ」と表記された入力キーを操作する。これにより、「Ｋ」と表記された入力キー、会員の人体、人体側通信装置１００の送受信器１２０の電極１２４等（併せて、図２参照）を含む信号伝送路を介して、「Ｋ」と表記された入力キーに対応して設けられている送信手段から人体側通信装置１００に「記憶要求信号」が送信される。人体側通信装置１００の制御装置は、信号受信部１２３（併せて、図２参照）で「記憶要求信号」を受信する。さらに、「Ｋ」と表記された入力キーに対応して設けられている送信手段は、「Ｋ」を示す入力キー識別情報（入力キーの座標情報あるいは文字情報「Ｋ」を示す文字情報識別情報）を、上記信号伝送経路を介して人体側通信装置１００に送信する。これにより、人体側通信装置１００の送受信器１２０は、受信した「Ｋ」を示す入力キー識別情報を会員カード１１０の記憶手段に記憶する。
同様にして、会員は、キーパネル６００に設けられている「Ｏ」と表記されたキー、「Ｈ」と表記された入力キー、「Ｎ」と表記された入力キーを順次操作（接触）する。これにより、各入力キーに対応して設けられている送信手段から、記憶要求信号と「Ｏ」を示す入力キー識別情報、記憶要求信号と「Ｈ」を示す入力キー識別情報、記憶要求信号と「Ｎ」を示す入力キー識別情報が、入力キーと人体を含む信号伝送路を介して順次送信される。会員が携帯している人体側通信装置１００の送受信器１２０は、受信した入力キー識別情報を順に会員カード１１０の記憶手段に記憶する。この場合、会員カード１１０の記憶手段には、図２４に示すように、入力キー識別情報が記憶される。
次に、会員がキーパネル６００に設けられている送信キー６１０を操作（接触）すると、端末装置３００の制御装置３０１は、送信キー６１０、会員の人体、人体側通信装置１００の送受信器１２０の電極１２４等（併せて、図２参照）を含む信号伝送路を介して「入力情報送信要求信号」を送信する。
会員が携帯している人体側通信装置１００の送受信器１２０は、「入力情報送信要求信号」を受信すると、信号送信モードに切り替わる。そして、会員カード１１０の記憶手段に記憶されている入力キー識別情報を入力された順に（記憶した順に）読み出し、人体側通信装置１００の送受信器１２０の電極１２４（併せて、図２参照）、会員の人体、送信キー６１０を含む信号伝送路を介して送信する。この時、人体側通信装置１００は、会員カード１１０の記憶手段に記憶されている会員ＩＤも送信する。
これにより、端末装置３００の制御装置３０１は、会員ＩＤと、会員が操作（接触）した入力キーに対応する入力キー識別情報を、会員が入力キーを操作した順に受信して記憶する。そして、入力キー識別情報の受信順の組み合わせに基づいて、会員ＩＤで示される会員が入力した入力情報を判別する。この場合、会員ＩＤ「００１０」の会員が入力した暗証番号（入力情報）が「ＫＯＨＮ」であることを判別する。
【００５０】
本実施の形態の情報入力装置によれば、端末装置３００は、会員が入力キーを操作する毎に、入力された入力キーに対応する入力キー識別情報（例えば、入力キーの座標情報）や会員ＩＤを記憶しておく必要がない。これにより、端末装置３００の制御装置３０１の処理負担を軽減することができる。
【００５１】
本実施の形態では、入力情報の判別処理を端末装置３００で行う場合について説明したが、図１１に示す第２の実施の形態のように、入力キー識別情報と会員ＩＤを端末装置から管理装置に送信し、管理装置で入力情報の判別処理を行うように構成することもできる。
また、図７に示すように、キーパネル６００を複数の会員で共用することもできる。この場合、各会員は、入力キーを操作（接触）して入力キー識別情報を人体側通信装置に装着されている会員カードの記憶手段に順に記憶する。そして、送信キー６１０を操作（接触）して、会員カードに記憶されている入力キー識別情報と会員ＩＤを端末装置３００の制御装置３０１に送信する。これにより、制御装置３０１は、各会員の入力キー識別情報が纏めて受信することができ、各会員毎に並べる処理を行う必要がないため、処理負担が軽減される。
【００５２】
本発明は、実施の形態で説明した構成に限定されず種々の変更、追加、削除が可能である。
実施の形態では、入力キー等の複数のキーを有する入力装置がキーパネルである場合について説明したが、入力装置はキーボード等で構成されていてもよい。
また、実施の形態では、会員が操作した入力キー、会員の人体を介して、端末装置３００から人体側通信装置に「入力情報送信要求信号」を送信することによって、人体側通信装置１００の記憶手段（人体側通信装置１００に装着されている会員カード１１０を含む）に記憶されている情報（例えば、入力キー識別情報と会員ＩＤ）を読み出す方法を用いたが、人体側通信装置の記憶手段に記憶されている情報を読み取る方法はこれに限定されず、種々の方法を用いることができる。
なお、本発明は、各実施の形態で説明した各構成を適宜組み合わせて構成することもできる。
【００５３】
ところで、遊技場では、遊技者により占有されていない遊技機（空いている遊技機）を案内するサービスを実施したいという要望がある。
従来、遊技が行われている遊技機の遊技機情報（遊技球が入賞口に入賞した回数を示す入賞情報、抽選結果が当たりであることを示す大当たり発生情報、遊技機に打ち込んだ遊技球の情報等）が、遊技機端末装置（いわゆる、台端末装置）や島管理装置を介して遊技場の管理装置（いわゆる、ホールコンピュータ）に送信されている。これにより、管理装置では、遊技が行われている遊技機を判別することができる。
そこで、遊技機情報に基づいて管理装置か遊技中であると判別した遊技機を除く遊技機を、遊技場に設けられている表示装置に表示することによって、空いている遊技機を案内したり、遊技場側の従業員が遊技機の稼動状況を把握したりする。
【００５４】
しかしながら、遊技者が遊技機に配設されている椅子に座っているが、遊技を行っていない場合がある。このような遊技機は、上記遊技機情報が収集できないので、従来の管理装置では判別することができない。このため、空いている遊技機を適切に案内することができず、また遊技機の稼動状況を把握することができない。
本発明は、このような点に鑑みて創案されたものであり、本発明が解決しようとする課題は、遊技者により占有されていない遊技機（空き遊技機）と遊技者に占有されている遊技機を確実に把握することができる遊技場管理装置を提供することである。
【００５５】
以下に、本発明を実施する最良の形態の一例につき、図２５〜図２８を参照しつつ説明する。
本実施の形態では、遊技者が遊技機毎に配設されている椅子に座っているか否かを遊技機の占有状態として検出することができる遊技場管理装置について説明する。本実施の形態では、遊技者は、遊技者ＩＤが記憶されている遊技者カードが装着されている人体側通信装置を携帯している。一方、椅子の座面には、遊技者の人体とともに信号伝送路を形成する電極が設けられている。電極は、管理装置に接続されている。これにより、遊技者が椅子に座っている場合には、人体及び椅子（椅子に設けられた電極）を含む信号伝送路が形成され、管理装置は、この信号伝送路を介して人体側通信装置と通信を行い、人体側通信装置に装着されている遊技者カードに記憶されている遊技者ＩＤを読み取る。これにより、管理装置は、椅子に遊技者が座っている遊技機、すなわち、遊技者が占有している遊技機を判別する。
図２５には、本実施の形態の概略構成図を示す。図２６は、複数の遊技機毎に設けられた椅子の電極と管理装置の接続状態を示すブロック図である。図２７は、遊技機を占有している会員の会員ＩＤが、管理装置により各遊技機ＩＤに対応して判別された結果を示す。図２８には、表示端末装置に表示される、遊技機の占有状態を示す一覧表示画面の一例を示す。
【００５６】
図２５に示すように、本実施の形態の遊技場管理装置は、遊技者が携帯する人体側通信装置１００ａと、人体とともに信号伝送路を形成する電極７０１が配設された椅子７００と、管理装置４００ａを備えている。なお、椅子７００は、各遊技機設けられており、管理装置４００ａの記憶手段には、各椅子と遊技機を示す遊技機識別情報との対応関係が予め記憶されている。
人体側通信装置１００ａは、遊技者カード１１０ａと、遊技者カード１１０ａが装着された送受信器１２０を備えている。遊技者カード１１０ａのメモリには、遊技者ＩＤ「１１００」が記憶されている。送受信器１２０及び遊技者カード１１０ａのその他の構成については、図２に示した人体側通信装置１００の送受信器１２０及び会員カード１１０と同様であるので、詳細な説明を省略する。また、椅子７００の座面には電極７０１が配設されており、クッションやカバーで覆われている。電極７０１は、椅子７００の脚部及び床に配設されたケーブルにより管理装置４００ａと接続されている。
実際の遊技場では、図２６に示すように、島毎に複数の遊技機１が配設されている。各遊技機１には、４〜５台毎に遊技機管理ユニット（遊技機端末装置）２が設けられている。各遊技機管理ユニット２は、島毎に島管理ユニット３に接続されている。そして、各島の島管理ユニット３は、遊技場の本部や事務所等に設置されている管理装置（ホールコンピュータ）４００ａに接続されている。
遊技機管理ユニット２は、遊技機ＩＤ（例えば、「台番号」）とともに遊技機１の遊技機情報、例えば、所定時間内のセーフ数（遊技球の払い出し数）、アウト数（遊技球の投入数）、特賞回数（入賞して特賞を引き当てた回数）等を、島管理ユニット２を介して管理装置４００ａに送信する。この所定時間内のセーフ数は、各遊技機１から出力される、パルス信号を用いて遊技機管理ユニット２で算出される。管理装置４００ａでは、このように、各遊技機管理ユニット２から島管理ユニット３を介して送信される遊技機情報に基づいて、各遊技機１の遊技情報を管理している。
一方、各遊技機の前面に配設された椅子７００に設けられた各電極７０１は、全てケーブルにより管理装置４００ａに接続されている。
なお、管理装置４００ａには、遊技場内のカウンタの前等の位置に配設されている表示端末装置８００が接続されている。
【００５７】
この構成により、図２５、図２６に示すように、人体側通信装置１００ａを携帯している、遊技者ＩＤ「１１００」の遊技者が、遊技機ＩＤ「０１４」に対応する椅子７００に座ると、遊技機ＩＤ「０１４」に対応する椅子７００に設けられた電極７０１、椅子７００の座面、遊技者の被服、遊技者の人体等を含む信号伝送路が形成される。これにより、管理装置４００ａから、この信号伝送路を介して人体側通信装置１００ａに「遊技者ＩＤ要求信号」が送信される。
なお、管理装置４００ａの制御装置は、各椅子７００の電極７０１に遊技者ＩＤ要求信号を送信する「信号送信モード」と、各椅子７００の電極７０１からの信号を受信する「信号受信モード」に交互に設定するように動作する。勿論、遊技者が椅子７００に座ったことを検出することによって、「信号送信モード」と「信号受信モード」の設定を切り替えるように動作させることもできる。
人体側通信装置１００ａ（送受信器１２０）の制御装置は、遊技者ＩＤ要求信号を受信すると、送受信器１２０を「信号送信モード」に切り替える。そして、人体側通信装置１００ａの制御装置は、遊技者カード１１０ａのメモリに記憶されている遊技者ＩＤ「１１００」を、遊技者の人体、遊技者の被服、椅子７００の座面、電極７０１等を含む信号伝送路を介して管理装置４００ａに送信する。また、管理装置４００ａは、当該椅子７００に対応する遊技機ＩＤ「０１４」を判別する。
【００５８】
このように、椅子７００に遊技者が座っている場合には、人体及び椅子７００（椅子に設けられた電極７０１）を含む信号伝送路が形成されるため、管理装置４００ａは、この信号伝送路を介して、人体側通信装置１００ａの遊技者カード１１０ａに記憶されている遊技者ＩＤを読み取ることができる。一方、椅子７００に遊技者が座っていない場合には、人体を含む信号伝送路が形成されないため、管理装置４００ａは、遊技者ＩＤを読み取ることができない。これにより、管理装置４００ａは、遊技機の占有状態を確実に判別することができる。
【００５９】
この管理装置４００ａによる遊技機の占有状態の判別結果を案内することができる。
例えば、遊技者が、表示端末装置８００を用いて、管理装置４００ａに遊技機１の占有状態の案内を要求する占有状態案内要求情報を送信すると、管理装置４００ａは、図２８に示すように、表示端末装置８００に遊技機１の占有状態を示す表示画面を表示する。
この表示画面には、各遊技機の遊技機ＩＤと、その遊技機の占有状態を表すマークが表示されている。図２８では、占有されている遊技機が斜線で塗りつぶされているマークにより、占有されていない遊技機が白抜きのマークにより示されている。
例えば、遊技機ＩＤ「０１４」の遊技機１の椅子７００に遊技者ＩＤ「１１００」の遊技者が座っている場合には、管理装置４００ａは、遊技機ＩＤ「０１４」に対応する椅子７００を介して遊技者ＩＤ「１１００」を読み取ることができる。このため、遊技機ＩＤ「０１４」に対応して、斜線で塗りつぶされているマークが表示されている（図中、矢印で示されているマーク）。
これにより、遊技者は、例えば、遊技機ＩＤ「０１１」、「０１５」、「０１６」等の遊技機が占有されていない（遊技機の椅子に遊技者が座っていない）ことを、知ることができる。
本実施の形態の「遊技者ＩＤ」が本発明の「遊技者識別情報」に、本実施の形態の「遊技機ＩＤ」が本発明の「遊技機識別情報」に対応する。また、本実施の形態の「椅子７００」が本発明の「信号伝送路形成設備」に対応する。
【００６０】
本実施の形態の遊技場管理装置によれば、遊技者カードが装着されている人体側通信装置を携帯している遊技者が、遊技機毎に配設されている椅子７００に座るだけで、椅子７００が占有されている状態、また、当該椅子７００を占有している遊技者の遊技者ＩＤが判別される。したがって、管理装置４００ａは、遊技機の占有状態を確実に把握することができる。
【００６１】
本実施の形態では、電極７０１が椅子７００に設けられている場合について説明したが、電極７０１は、遊技者が遊技機１を占有している場合に、人体とともに信号伝送路を形成することができれば、適宜の位置に配設することができる。例えば、遊技機１の発射レバーや、椅子７００に座った時の足元のマット等に設けられていてもよい。この場合には、「遊技機の発射レバー」や「足元のマット」が、本発明の「信号伝送路形成設備」に対応する。
【００６２】
また、電極７０１は、直接人体に接触される構成であれば確実に信号伝送路を形成する上で好ましいが、電極７０１と人体の間には、管理装置４００ａにより人体側通信装置の遊技者ＩＤを読み取り可能な範囲内で、別の介在物が設けられていてもよい。例えば、人体と電極７０１との間には、本実施の形態のように、遊技者の被服や、椅子の座面のカバーやクッション等が設けられていてもよい。また、電極７０１が足元のマットに設けられている場合には、遊技者ＩＤを読み取り可能な範囲内で、人体と電極７０１との間には、遊技者が履いている靴下や靴、マット部材等が設けられていてもよい。
このように、信号伝送路形成設備と人体との間に、人体と信号伝送路形成設備を含む信号伝送路が形成可能な範囲内で、別の介在物が配設されている場合も、「人が接触することで人体と信号伝送路形成設備を含む信号伝送路が形成される」概念に含まれる。
【００６３】
また、本実施の形態の管理装置４００ａは、遊技機用の椅子７００を介して読み取った遊技者ＩＤと、当該遊技機が接続されている遊技機管理ユニット２、島管理ユニット３を介して管理装置４００ａに送信された当該遊技機の遊技機情報に基づいて、読み取った遊技者ＩＤに対応する遊技情報（遊技の履歴等）を、管理装置４００ａが管理している記憶手段（特に図示していない。）に、記憶させておくことができる。この記憶手段には、図２９に示すように、各椅子７００を介して読み取った遊技者ＩＤ毎に、対応する遊技情報が記憶されている。
一般的に、遊技場では、遊技機に対応してカードサンドが遊技機に隣接して設けられている。このカードサンドには、遊技者カードの挿入口と現金投入口が設けられている。遊技者が、カードの挿入口に遊技者カード１１０ａを挿入し、現金投入口に現金を投入すると、投入した金額に応じた金額情報が遊技者カードに記憶される。そして、カードサンドに設けられている球貸しボタンを操作すると、遊技機の上皿に、ボタンを操作した回数分の金額に相当する遊技球が払い出される。また、払い出された遊技球の金額に相当する分を差し引いた金額情報が遊技者カード１１０ａに記憶され、金額情報が更新される。一方、このように、カードサンドに遊技者カードが挿入されていることにより、管理装置４００ａは、当該遊技機で遊技を行っている遊技者の遊技者ＩＤを、カードサンドを介して遊技者カード１１０ａから読み取ることができる。ところが、カードサンドに遊技者カード１１０ａを挿入せず、現金により遊技球を借り受けて遊技を行っている遊技者については、当該遊技者が遊技者カードを所有していても、管理装置はこの遊技者ＩＤを知ることができなかった。本実施の形態の遊技場管理装置の管理装置４００ａでは、遊技者が椅子７００に座るだけで、当該遊技者の遊技者ＩＤを読み取ることができるので、管理装置４００ａは、遊技者が占有している遊技機と当該遊技者の遊技者ＩＤを容易に把握することができる。このため、管理装置４００ａは、当該遊技者ＩＤを有する遊技者が遊技している遊技機を簡単に知ることができる。前述したように、各遊技機で遊技が行われると、各遊技機から遊技機管理ユニットや島管理ユニットを介して管理装置に遊技機情報が送信されるので、管理装置４００ａは、当該遊技者が遊技している際の遊技機情報に基づいて、当該遊技者の遊技情報（遊技履歴等）を簡単に知ることができる。
【００６４】
また、本実施の形態の遊技場管理装置では、管理装置４００ａに、各椅子７００に配設された電極７０１が直接接続されている場合について説明したが、図３０に示すように、電極７０１に接続される端末装置３００ａがそれぞれの椅子７００について配設されていてもよい。端末装置３００ａは、図３に示した第１の実施の形態の端末装置３００と同様に構成される。これによれば、人体側通信装置１００ａを携帯している遊技者が椅子７００に座ると、電極７０１、椅子７００の座面、遊技者の被服、遊技者の人体等を含む信号伝送路を介して、端末装置３００ａから人体通信装置１００ａに、「遊技者ＩＤ要求信号」が送信される。端末装置３００ａの制御装置は、人体通信装置１００ａに「遊技者ＩＤ要求信号」を送信すると、端末装置３００ａを「信号受信モード」に切り替える。
人体側通信装置１００ａの制御装置は、「遊技者ＩＤ要求信号」を受信すると、送受信器を「信号送信モード」に切り替える。そして、人体側通信装置１００ａの制御装置は、遊技者の人体、遊技者の被服、椅子７００の座面、電極７０１等を含む信号伝送路を介して、遊技者カード１１０ａのメモリに記憶されている遊技者ＩＤを端末装置３００ａに送信する。なお、端末装置３００ａには、対応する遊技機の遊技機ＩＤが予め記憶されている。そして、端末装置３００ａは、読み取った遊技者ＩＤを示す情報（「１１００」）と対応する遊技機の遊技機ＩＤ（「０１４」）を示す情報を、管理装置４００ａに送信する。
これによれば、人体通信装置１００ａとの情報の送受信は、それぞれ端末装置３００ａが行うので、管理装置４００ａの負担が軽減される。
なお、端末装置３００ａに対応する遊技機ＩＤを管理装置４００ａ側に記憶させておき、遊技者ＩＤを送信した端末装置３００ａに基づいて、当該遊技者ＩＤで示される遊技者が遊技を行っている遊技機を判別するように構成することもできる。
【００６５】
また、図３１に示すように、各椅子７００の電極７０１は、遊技機管理ユニット２に接続されていてもよい。この場合、上記した端末装置３００ａの代わりに、遊技機管理ユニット２が、人体及び椅子７００を含む信号伝送路を介して、遊技者カード１１０ａのメモリに記憶されている遊技者ＩＤを受信する。
これによれば、遊技機管理ユニット２から、管理装置４００ａに、遊技機で行われている遊技の遊技機情報、及び当該遊技機の遊技機識別情報、及び当該遊技機を占有している遊技者の遊技者ＩＤが送信されるので、管理装置に接続される配線の本数が少なくてよい。
【００６６】
本発明は、以下の遊技場管理装置として構成することができる。
「（態様１）遊技場に設けられている遊技機の占有状態を管理する遊技場管理装置であって、
遊技者が携帯する人体側通信装置と、管理装置と、遊技機に対応して設けられ、人が接触することによって、人体とともに信号伝送路を形成する信号伝送路形成設備を備え、
前記人体側通信装置は、遊技者を示す遊技者識別情報を記憶する記憶手段を有し、
前記管理装置は、人が信号伝送路形成設備に接触すると、人体及び信号伝送路形成設備を含む信号伝送路を介して当該信号伝送路形成設備に接触した人が携帯している人体側通信装置の記憶手段に記憶されている遊技者識別情報を読み取り、読み取った遊技者識別情報と、前記信号伝送路形成設備に対応する遊技機の遊技機識別情報に基づいて各遊技機の占有状態を判別する、
ことを特徴とする遊技場管理装置。」
「遊技機の占有状態」とは、他の遊技者が遊技することができるか否かを示す状態を広くする。例えば、遊技機が占有されている状態としては、遊技者により遊技が行われている状態、遊技は行われていないが遊技機の椅子に遊技者が座っている状態を含む。
「信号伝送路形成設備」は、遊技機が占有されている際に遊技者により接触される設備であるとともに、管理装置が、当該信号伝送路形成設備を含む信号伝送路により、人体側通信装置の記憶手段に記憶されている遊技者識別情報を読み取ることができる設備であればよい。「信号伝送路形成設備」としては、典型的には、遊技機の椅子、遊技機の発射レバー、椅子の足元のマットがこれに該当する。この信号伝送路形成設備には、人体を介して信号伝送路を形成するための電極が配設されている。なお、電極そのものが信号伝送路形成設備であってもよい。
本態様の遊技場管理装置の管理装置は、遊技者が信号伝送路形成設備に接触するだけで、信号伝送路形成設備に対応する遊技機が占有されている状態を判別することができる。したがって、本態様の遊技場管理装置は、遊技機の占有状態を確実に把握することができる。また、遊技者は、人体側通信装置を携帯しているだけで、遊技場管理装置に自己の遊技者識別情報を読み取らせることができる。このため、例えば、遊技者識別情報が記憶されているカードをカードリーダに挿入する等の操作が不要であり、利便性が向上する。
【００６７】
また、本発明は、以下の遊技場管理装置として構成することができる。
「（態様２）  態様1に記載の遊技場管理装置であって、
遊技機に対応して設けられ、対応する遊技機の遊技機情報と当該遊技機を示す遊技機識別情報を前記管理装置に送信する遊技機端末装置を備え、
前記管理装置は、前記信号伝送路形成設備を介して読み取った遊技者識別情報と、前記信号伝送路形成設備に対応する遊技機の遊技機識別情報と、前記遊技機端末装置から送信された遊技機情報及び遊技機識別情報に基づいて、各遊技者の遊技状態を判別する、
ことを特徴とする管理装置。」
本態様の遊技場管理装置の管理装置は、遊技者が信号伝送路形成設備に接触するだけで、当該遊技者の遊技者識別情報を読み取ることができる。したがって、管理装置は、遊技者が占有している遊技機と当該遊技者の遊技者識別情報を容易に把握することができる。このため、管理装置は、当該遊技者識別情報を有する遊技者が遊技した遊技機の遊技機識別情報を簡単に知ることができ、当該遊技者が遊技した際の遊技機情報に基づいた遊技情報（遊技履歴等）を簡単に知ることができる。また、遊技者は、人体側通信装置を携帯しているだけで、遊技場管理装置に自己の遊技者識別情報を読み取らせることができる。このため、例えば、遊技者識別情報が記憶されているカードをカードリーダに挿入する等の操作が不要であり、利便性が向上する。
【００６８】
また、本発明は、以下の遊技場管理装置として構成することができる。
「（態様３）  遊技場に設けられている遊技機の占有状態を管理する遊技場管理装置であって、
遊技者が携帯する人体側通信装置と、管理装置と、遊技機に対応して設けられた遊技機端末装置と、遊技機に対応して設けられ、人が接触することによって、人体とともに信号伝送路を形成する信号伝送路形成設備を備え、
前記人体側通信装置は、遊技者を示す遊技者識別情報を記憶する記憶手段を有し、
前記遊技機端末装置は、人が当該遊技機端末装置に対応する遊技機に設けられている信号伝送路形成設備に接触すると、人及び信号伝送路形成設備を含む信号伝送路を介して当該信号伝送路形成設備に接触した人が携帯している人体側通信装置の記憶手段に記憶されている遊技者識別情報を読み取り、読み取った遊技者識別情報と前記信号伝送路形成設備に対応する遊技機の遊技機識別情報を前記管理装置に送信し、また、当該遊技機端末装置に対応する遊技機の遊技機情報と遊技機識別情報を前記管理装置に送信し、
前記管理装置は、前記遊技機端末装置から送信された遊技者識別情報、遊技機識別情報、遊技機情報に基づいて各遊技者の遊技状態を判別する、
ことを特徴とする遊技場管理装置。」
なお、遊技機端末装置は、各遊技機に設けられていてもよいし、複数の遊技機毎に設けられていてもよい。
本態様の遊技場管理装置を用いれば、遊技機端末装置により、管理装置に、遊技機で行われている遊技の遊技機情報、当該遊技機の遊技機識別情報、当該遊技機を占有している遊技者の遊技者識別情報が送信されるので、管理装置に配線される信号等を送受信するためのケーブルの本数が少なくてよい。また、遊技者は、人体側通信装置を携帯しているだけで、遊技場管理装置に自己の遊技者識別情報を読み取らせることができる。このため、例えば、遊技者識別情報が記憶されているカードをカードリーダに挿入する等の操作が不要であり、利便性が向上する。
【００６９】
ところで、遊技場では、遊技カードを用いて遊技を行うことができる。例えば、遊技者は、各遊技機に対応して設けられている遊技媒体貸出装置のカード挿入口に遊技カードを挿入し、現金投入口に現金を投入すると、投入した金額に対応する金額情報が遊技カードに記憶される。そして、球貸しボタンを操作すると、遊技機の上皿に、球貸しボタンの操作回数分の金額に相当する数の遊技球が貸し出される。そして、遊技カードに記憶されている金額情報から、球貸しボタンの操作回数分の金額に対応する金額情報を差し引いた金額情報が遊技者カードに更新記憶される。
【００７０】
このような遊技カードに記憶されている金額情報の有効期間が当日のみに設定されていることがある。この場合、遊技カードに記憶されている金額情報分の遊技球を当日中に借り受けるか、あるいは、遊技場に設けられている清算機で遊技幾カードに記憶されている金額情報を当日中に清算する必要がある。
本発明は、遊技カードに記憶されている金額情報の清算が行われていない遊技カードを所有する遊技者に対して、遊技カードに記憶されている金額情報の清算が行われていないことを報知することができる遊技場管理装置を提供することである。
【００７１】
以下に、本発明を実施する最良の形態の一例につき、図３２、図３３を参照しつつ説明する。
本実施の形態では、清算が行われていない遊技カードを所有している遊技者が遊技場から退場しようとすると、報知装置から、清算が行われていないことを示す報知情報を出力する。図３３には、遊技場に配設された各機器と人体側通信装置との間で送受信される情報を示す。
図３２には、本実施の形態の概略構成図を示す。
【００７２】
図３２に示すように、本実施の形態の遊技場管理装置は、遊技者が携帯する人体側通信装置１００ｂと、遊技場の出口に設けられ、電極を有し、人体とともに信号伝送路を形成するマット９００と、マット９００の電極に接続されている端末装置３００ｂと、管理装置４００ｂと、報知装置９１０を備えている。
人体側通信装置１００ｂは、遊技者カード１１０ｂと、遊技者カード１１０ｂが装着される送受信器１２０を備えている。遊技者カード１１０ｂのメモリには、遊技者ＩＤが記憶されている。送受信器１２０及び遊技者カード１１０ｂのその他の構成については、図２に示した人体側通信装置１００の送受信器１２０及び会員カード１１０と同様であるので、詳細な説明を省略する。
また、各遊技機には、人体とともに信号伝送路を形成する信号伝送路形成設備が設けられている。例えば、前述した、電極７０１を有する椅子７００や、遊技機の発射レバーや、椅子７００に座った時の足元のマット等に設けられている電極等の信号伝送路形成設備が設けられている（図２５、図２６参照）。これらの信号伝送路形成設備の電極は、ケーブルにより管理装置（ホールコンピュータ）４００ａと接続されている。なお、管理装置４００ａの記憶手段には、各椅子７００を示す椅子ＩＤと対応する遊技機を示す遊技機ＩＤとの対応関係が記憶されている。
本実施の形態では、椅子７００や足元のマット等に設けられている電極、発射レバー等が本発明の「第２の信号伝送路形成設備」に対応する。
また、遊技場の出口には、人体とともに信号伝送路を形成する信号伝送路形成設備が設けられている。例えば、遊技場の出入口に、電極を有するマット９００が配設されている。電極は、ケーブルにより端末装置３００ｂと接続されている。端末装置３００ｂは、遊技場の本部や事務所等に設置されている管理装置（ホールコンピュータ）４００ｂに接続されている。また、管理装置４００ｂは、スピーカ、音声出力制御装置等により構成される報知装置９１０を制御している。報知装置９１０は、遊技場の出口付近に設けられている。
本実施の形態では、遊技場の出口に配設されているマット等の電極が本発明の「第１の信号伝送路形成設備」に対応する。
【００７３】
遊技場では、図３３に示すように、各遊技機１に対応するカードサンド４が各遊技機１に隣接して設けられている。このカードサンド４には、プリペイドカード（遊技カード）挿入口４ａと、現金投入口４ｂと、球貸しボタン４ｃが設けられている。
遊技者が、遊技機１の椅子７００に座ると、椅子に設けられている電極と人体を含む信号伝送路が形成される。管理装置４００ｂは、この信号伝送路を介して、椅子に座っている遊技者が携帯している人体側通信装置１００ｂに装着されている遊技者カード１１０ｂの記憶手段に記憶されている遊技者ＩＤ（例えば、遊技者ＩＤ「００１０」）を読み取る。この時、管理装置４００ａは、読み取った遊技者ＩＤ「００１０」で示される会員が座っている椅子に対応する遊技機１の遊技機ＩＤを判別する。これにより、遊技者ＩＤ「００１０」で示される遊技者が遊技を行っている遊技機ＩＤを判別することができる。
また、遊技者が、プリペイドカード挿入口４ａにプリペイドカードを挿入すると、カードサンド４の金額情報読取装置（特に図示していない。）は、プリペイドカードに記憶されている金額情報を読み取り、当該カードサンド４に対応する遊技機１の遊技機ＩＤと、読み取った金額情報を管理装置４００ｂに送信する。
【００７４】
遊技者が現金投入口４ｂに現金を投入すると、カードサンド４は、投入された金額を読み取り、読み取った金額に応じた入金情報を管理装置４００ｂに送信する。また、遊技者が球貸しボタン４ｃを操作すると、遊技機１の上皿に、ボタン４ｃを操作した回数分の金額に相当する遊技球が払い出される。そして、カードサンド４は、払い出された遊技球の金額に相当する払出金額情報（遊技媒体貸出情報）と遊技者ＩＤを管理装置４００ｂに送信する。なお、カードサンド４は、予めプリペイドカードに記憶されていた金額情報、入金情報、払出金額情報から、残金を示す金額情報を算出し、プリペイドカードに記憶されている金額情報を更新する。プリペイドカードに記憶されている金額情報は、カードサンド４に設けられている表示手段（特に図示していない。）に表示される。
これにより、管理装置４００ｂでは、送信された遊技機ＩＤの遊技機１で遊技を行っている遊技者の入金情報と払出金額情報に基づいて、当該遊技者の残金を示す金額情報を算出して管理することができる（例えば、入金情報を受信したら金額情報に加算し、払出金額情報を受信したら金額情報から減算する）。
ここで、前述したように、管理装置４００ａは、人体側通信装置１００ｂから読み取った遊技者ＩＤ「００１０」と、当該遊技者が遊技を行っている遊技機１の遊技機ＩＤを判別している。したがって、管理装置４００ｂは、遊技機ＩＤの遊技を行っている遊技者の遊技者ＩＤ「００１０」と、当該遊技機ＩＤの遊技を行っている遊技者、すなわち、遊技者ＩＤ「００１０」の遊技者のプリペイドカードに記憶されている金額情報を管理することができる。
遊技者が遊技終了操作を行うと（例えば、カード排出キーを操作する。）と、カードサンド４は、プリペイドカードをプリペイドカード挿入口４ａから排出する。
【００７５】
なお、プリペイドカードの金額情報の清算を行う清算機にも、人体とともに信号伝送路を形成する信号伝送路形成部材が設けられている。そして、この信号伝送路形成部材は、ケーブルを介して管理装置４００ａに接続されている。
これにより、遊技者が、清算機でプリペイドカードの金額情報の清算操作を行った場合には、管理装置４００ａは、当該遊技者が携帯している人体側通信装置に装着されている遊技者カードから遊技者ＩＤを読み取る。
また、管理装置４００ａは、清算機から、プリペイドカードの金額情報の清算処理が行われたことを示す清算済情報が送信される。なお、清算機から清算済情報が送信された場合には、人体側通信装置から読み取った遊技者ＩＤに対応する金額情報を「０」とする。
したがって、管理装置４００ａは、遊技者ＩＤで示される遊技者が、プリペイドカードに記憶されている金額情報の清算を行ったことを管理することができる。
【００７６】
そして、遊技者カード１００ｂが装着された人体側通信装置１００ｂを携帯している遊技者が、遊技場から退場しようとしてマット９００の上を通過する時、マット９００の下に設けられた電極、マット９００、遊技者の靴等、遊技者の人体等を含む信号伝送路が形成される。これにより、端末装置３００ｂから、この信号伝送路を介して人体通信装置１００ｂに「遊技者ＩＤ要求信号」が送信される。端末装置３００ｂは、人体側通信装置１００ｂに「遊技者ＩＤ要求信号」を送信すると「信号受信モード」に切り替わる。
人体側通信装置１００ｂ（送受信器１２０）は、「遊技者ＩＤ要求信号」を受信すると、送受信器１２０が「信号送信モード」に切り替わる。そして、人体側通信装置１００ｂは、遊技者カード１１０ｂのメモリに記憶されている遊技者ＩＤ（例えば、遊技者ＩＤ「００１０」）を、遊技者の人体、遊技者の靴等、マット９００、マット９００の下の電極等を含む信号伝送路を介して端末装置３００ｂに送信する。端末装置３００ｂは、受信した遊技者ＩＤを管理装置４００ｂに送信する。
管理装置４００ｂは、端末装置３００ｂから送信された遊技者ＩＤ「００１０」に対応させて管理している金額情報が「０」であるか否かを判別する。金額情報が「０」でないことが判別された場合には、管理装置４００ｂは、報知装置９１０を駆動して、「残金を清算してから、お帰りください。明日になると清算できません。」等のコメントを音声で報知する。これにより、遊技者は、プリペイドカードに残高があることに気付き、遊技場に設けられている清算機で金額情報の清算を行うことができる。一方、会員ＩＤ「００１０」に対応する金額情報が「０」である場合には、管理装置４００ｂは、報知装置９１０を駆動しない。
本実施の形態の「マット９００」が本発明の「信号伝送路形成設備」に、本実施の形態の「端末装置３００ｂ」が本発明の「端末装置」に、本実施の形態の「管理装置４００ｂ」が本発明の「管理装置」に、本実施の形態の「報知装置９１０」が本発明の「報知装置」に対応する。本実施の形態のプリペイドカードが本発明の「遊技カード」に対応し、本実施の形態の「プリペイドカードに記憶されている金額情報」が本発明の「遊技媒体貸出可能情報」、対応する。また、本実施の形態の「カードサンド４」が本発明の「遊技媒体貸出装置」に、本実施の形態の「カード４ａ挿入口」が本発明の「遊技カード挿入口」に対応し、本実施の形態の「球貸しボタン４ｃ」が本発明の「入力装置」に対応する。
【００７７】
本実施の形態の遊技場管理装置によれば、遊技者は、遊技者カードを装着した人体側通信装置１００ｂを携帯しているだけで、当日、遊技球を借り受けるために支払った金額に残金がある場合に、遊技場の出口で残金があることが報知されるきめ細かなサービスを享受することができる。したがって、清算可能な当日が過ぎ、残金が清算不可能となって不本意な損失をすることが少なくなる。また、管理装置４００ｂでは、残金を遊技者ＩＤに対応させて管理しているため、残高がある遊技者が遊技場から退場する場合、遊技者名を遊技者ＩＤから特定することができる。これにより、例えば、「○○さん、残金を清算してから、お帰りください。明日になると清算できません。」といったように、遊技者を特定するコメントを音声で報知することができる。
【００７８】
なお、以上では、人体側通信装置１００ｂに装着されている遊技者カード１１０ｂの記憶手段に記憶されている遊技者ＩＤを管理措置４００ｂにより読み取ったが、カードサンド４により読み取って管理装置４００ｂに送信するように構成することもできる。例えば、椅子７００に設けられている電極や足元のマット等に設けられている電極を、ケーブルによりカードサンド４に接続する。そして、遊技者が椅子７００に座って電極や人体を含む信号伝送路が形成されると、カードサンド４は、人体側通信装置１００ｂと通信を行って遊技者ＩＤを読み取る。
このように構成すると、カードサンド４は、人体側通信装置１１０ｂから読み取った遊技者ＩＤと、入金情報や払出金額情報を、遊技幾１を示す遊技幾ＩＤを管理装置４００ｂに送信する。これにより、管理装置４００ｂに接続する信号線の数を減少させることができる。
【００７９】
また、図３４に示すように、人体側通信装置１００ｂに装着される遊技者カード１１０ｂを、遊技球を交換可能な金額情報が記憶されるプリペイドカード（遊技カード）として用いることもできる。
この場合には、人体側通信装置１００ｂに装着されている遊技者カード１１０ｂに記憶されている遊技者ＩＤや金額情報を、カードサンド４あるいは管理装置４００ｂが読み取る。また、カードサンド４で投入された金額に応じた入金情報や貸し出しボタンの操作に応じて払い出された遊技球の金額に相当する払出金額情報（遊技媒体貸出情報）を管理装置４００ｂに送信する。
これにより、管理装置４００ｂは、読み取った遊技者ＩＤと金額情報、入金情報や払出金額情報に基づいて、各遊技者ＩＤに対応する遊技者の残金を示す金額情報を管理する。
また、管理装置４００ｂあるいはカードサンド４は、予め遊技者カードに記憶されていた金額情報、入金情報、払出金額情報から、残金を示す金額情報を算出し、算出した金額情報と書込要求信号を、人体を含む信号伝送路を介して人体側通信装置１００ｂに送信する。人体側通信装置００ｂは、書込要求信号とともに受信した金額情報によって、人体側通信装置１００ｂに装着されている遊技者カードの記憶手段に記憶されている金額情報を更新する。
また、清算機で金額情報の清算処理を行う場合には、人体を含む信号伝送路を介して人体側通信装置１００ｂに装着されている会員カードから金額情報（必要であれば遊技者ＩＤも）を読み取る。そして、読み取った金額情報に対する清算処理が終了すると、当該下院カードに金額除法「０」を書き込む。
【００８０】
そして、人体側通信装置１００ｂを携帯している遊技者が、遊技場の出口に配設されているマット９００の上を通貨する時、マット９００の下に設けられた電極、マット９００、遊技者の靴等、遊技者の人体を含む信号伝送路が形成される。これにより、端末装置３００ｂから、この信号伝送路を介して人体側通信装置１００ｂに「金額情報要求信号」が送信される。端末装置３００ｂは、人体側通信装置１００ｂに「金額情報要求信号」を送信すると「信号受信モード」に切り替わる。
人体側通信装置１００ｂ（送受信器１２０）は、「金額情報要求信号」を受信すると、送受信器１２０が「信号送信モード」に切り替わる。そして、人体側通信装置１００ｂは、遊技者カードのメモリに記憶されている金額情報（必要があれば遊技者ＩＤも）を、遊技者の人体、遊技者の靴等、マット９００、マット９００の下の電極等を含む信号伝送路を介して端末装置３００ｂに送信する。端末装置３００ｂは、受信した金額情報を管理装置４００ｂに送信する。管理装置４００ｂは、受信した金額情報が「０」であるか否か（すなわち、残金があるか否か）を判別し、金額情報が「０」でないことが判別された場合には、報知装置９１０を駆動して、「残金を清算してから、お帰りください。明日になると清算できません。」等のコメントを音声で報知する。一方、金額情報が「０」であることが判別された場合には、管理装置４００ｂは、報知装置９１０を駆動しない。なお、金額情報に基づいて報知装置９１０を駆動する処理を端末装置３００ｂが行うように構成することもできる。
なお、遊技者カード１１０ｂを遊技カードとして使用可能とし、また、本実施の形態の報知サービスを実行する場合には、遊技者カード１１０ｂへの金額情報の書込及び遊技者カード１１０ｂに記憶されている金額情報の読み取りを行うことができればよく、遊技者カード１１０ｂに記憶されている遊技者ＩＤの読み取りは省略することもできる。
【００８１】
このように構成することにより、遊技者は、遊技者カードを装着した人体側通信装置１００ｂを携帯するだけで、遊技者カードに金額情報を書き込んで遊技を行うことができる。そして、この場合、従来のように遊技カードをカードサンドに挿入する操作が不要であるため、遊技者は煩わしい操作を行うことなく、簡単に遊戯を行うことができる。
また、金額情報の清算を行っていない状態（遊技者カードに記憶されている金額情報が「０」でない状態）で遊技場から退場する場合には、遊技場の出口で残金があることが報知されるサービスを享受することができる。したがって、遊技者は清算可能な当日が過ぎ、残金が清算不可能となって不本意な損失をすることが少なくなる。
【００８２】
本実施の形態では、マット９００の下に信号伝送路を形成するための電極が設けられている場合について説明したが、電極は、遊技者が遊技場を退場する際に接触するものに配設されていればよい。例えば、遊技場の出入口に設けられている開閉ドアに入場用の開ボタン及び退場用の開ボタンが設けられている場合には、退場用の開ボタンに、人体とともに信号伝送路を形成するための電極を配置することもできる。このように構成では、「退場用の開ボタン」が、本発明の「第１の信号伝送路形成設備」に対応する。
【００８３】
また、電極は、直接人体に接触される構成であれば確実に信号伝送路を形成する上で好ましいが、電極と人体の間には、電極と人体を含む信号伝送路を形成することができれば、別の介在物が設けられていてもよい。例えば、人体と電極との間には、本実施の形態のように、遊技者が履いている靴やマット等が設けられていてもよい。
また、本実施の形態では、図３３に示すように、遊技中の遊技者の遊技者ＩＤを、遊技者が座る椅子７００を介して、遊技者カード１１０から読み取る場合について説明した。また、図３４に示すように、遊技者カード１１０に記憶されている金額情報を、遊技者が座る椅子７００を介して、遊技者カード１１０から読み取り、椅子７００を介して、更新された金額情報が遊技者カード１１０に書き込まれる場合について説明した。しかしながら、これらの情報の、遊技者カード１１０への読み取りや書き込みは、カードサンド４に設けられカード挿入口に、遊技者が遊技者カードを挿入することで、カードサンド４を経由して行われるように構成されていてもよい。
また、本実施の形態では、図３３に示すように、管理装置４００ｂが、遊技中の遊技者の遊技者ＩＤを、遊技者が座る椅子７００を介して、遊技者カード１１０から読み取る場合について説明した。また、図３４に示すように、管理装置４００ｂが、遊技者カード１１０に記憶されている金額情報を、遊技者が座る椅子７００を介して、遊技者カード１１０から読み取り、遊技者が座る椅子７００を介して、更新された金額情報が遊技者カード１１０に書き込まれる場合について説明した。しかしながら、これらの情報の読み取りや書き込みをカードサンド４で実行するように構成することもできる。例えば、遊技カードを挿入する遊技カード挿入口及び会員カードを挿入する会員カード挿入口をカードサンドに設け、カードサンドにより、遊技機カードに記憶されている金額情報の読み取り及び書き込み、会員カードに記憶されている遊技者ＩＤの読み取りを行う。管理装置４００ｂは、カードサンドから送信される序穂に基づいて遊技者ＩＤに対応する金額情報を管理する。そして、会員カードが装着された人体側通信装置を携帯した遊技者が遊技場から退場する際の動作は前述したとおりである。
【００８４】
また、本実施の形態の遊技場管理装置では、遊技場から退場する遊技者が携帯している人体側通信装置１００ｂに装着されている遊技者カード１１０ｂから遊技者ＩＤや金額情報を、人体を含む信号伝送路を介して読み取る処理を端末装置３００ｂで行ったが、管理装置４００ｂが行うように構成することもできる。
この場合には、例えば、人体側通信装置１００ｂを携帯している遊技者がマット９００に接触すると、マット９００に設けられている電極、遊技者の靴、遊技者の人体等を含む信号伝送路を介して、管理装置４００ｂから人体通信装置１００ｂに、「金額情報要求信号」（遊技者カード１１０ｂに金額情報が記憶される場合）あるいは「遊技者ＩＤ要求信号」（遊技者カード１１０ｂに金額情報が記憶されない場合）が送信される。管理装置４００ｂは、人体側通信装置１００ｂに上記要求信号を送信すると「信号受信モード」に切り替わる。
人体側通信装置１００ｂでは、上記要求信号を受信すると、送受信器が「信号送信モード」に切り替わる。そして、人体側通信装置１００ｂは、遊技者の人体、遊技者の靴、マット９００の電極等を含む信号伝送路を介して、遊技者カード１１０ｂのメモリに記憶されている「金額情報」あるいは「遊技者ＩＤ」を管理装置４００ｂに送信する。
管理装置４００ｂは、受信した「金額情報」あるいは「遊技はＩＤ」に基づいて、前記した報知を行うか否かを判断する。
【００８５】
本発明は、以下の遊技場管理装置として構成することができる。
「（態様４）遊技者が携帯する人体側通信装置と、管理装置と、遊技場の出口に設けられ、人が接触することによって、人体とともに信号伝送路を形成する第１の信号伝送路形成設備と、前記第１の信号経路形成設備に接続されている端末装置と、報知装置を備え、
前記人体側通信装置は、遊技媒体貸出可能情報が記憶されている記憶手段を有し、
前記端末装置は、人が前記第１の信号伝送路形成設備に接触すると、人体及び前記第１の信号伝送路形成設備を含む信号伝送路を介して当該第１の信号伝送路形成設備に接触した人が携帯している人体側通信装置の記憶手段に記憶されている遊技媒体貸出可能情報を読み取り、読み取った遊技媒体貸出可能情報を前記管理装置に送信し、
前記管理装置は、前記端末装置から送信された遊技媒体貸出可能情報を受信すると、受信した遊技媒体貸出可能情報が「０」であるか否かを判断し、遊技媒体貸出可能情報が「０」でない場合には、前記報知装置から報知情報を出力させる、
ことを特徴とする遊技場管理装置。」
「第１の信号伝送路形成設備」は、遊技場の出口に設けられ、遊技場から退場する遊技者の人体とともに信号伝送路を形成することができればよく、配設位置や構造等は適宜変更可能である。「第１の信号伝送路形成設備」としては、例えば、遊技場の出口に敷かれたマット、出口に設けられている開閉ドアの出口用の開ボタンを用いることができる。この第１の信号伝送路形成設備には、人体を介して信号伝送路を形成するための電極が配設されている。なお、電極そのものが第１の信号伝送路形成設備であってもよい。
人体側通信装置の記憶手段には、人体側通信装置に設けられている記憶手段や人体側通信装置に着脱可能に装着されている遊技者カード等が含まれる。
記憶手段に遊技媒体貸出可能情報を記憶させる態様としては種々の態様を用いることができる。
本態様の遊技場管理装置によれば、遊技者は、記憶手段に遊技媒体貸出可能情報が記憶可能な人体側通信装置を携帯するだけで遊技を行うことができる。また、遊技場の出口で、遊技媒体貸出可能情報が「０」でない（遊技球を借り受けるために支払った金額に残金がある）ことの報知サービスを享受することができる。一般的には、遊技媒体貸出可能情報は、これを人体側通信装置の記憶手段に記憶させた当日が過ぎると清算不可能であるので、このような報知サービスを行うことにより、遊技者の不本意な損失を軽減することができる。
【００８６】
また、本発明は、以下の遊技場管理装置として構成することができる。
「（態様５）遊技者が携帯する人体側通信装置と、管理装置と、遊技場の出口に設けられ、人が接触することによって、人体とともに信号伝送路を形成する第１の信号伝送路形成設備と、前記第１の信号経路形成設備に接続されている端末装置と、報知装置を備え、
前記人体側通信装置は、遊技者を示す遊技者識別情報が記憶されている記憶手段を有し、
前記端末装置は、人が前記第１の信号伝送路形成設備に接触すると、人体及び前記第１の信号伝送路形成設備を含む信号伝送路を介して当該第１の信号伝送路形成設備に接触した人が携帯している人体側通信装置の記憶手段に記憶されている遊技者識別情報を読み取り、読み取った遊技者識別情報を前記管理装置に送信し、
前記管理装置は、各遊技者の遊技媒体貸出可能情報を遊技者識別情報に対応させて管理しており、前記端末装置から送信された遊技者識別情報を受信すると、受信した遊技者識別情報に対応する遊技媒体貸出可能情報が「０」であるか否かを判断し、遊技媒体貸出可能情報が「０」でない場合には、前記報知装置から報知情報を出力させる、
ことを特徴とする遊技場管理装置。」
管理装置で、遊技者識別情報に対応させて遊技媒体貸出情報を管理する態様としては種々の態様を用いることができる。
本態様の遊技場管理装置によれば、遊技者は、記憶手段に遊技者識別情報が記憶されている人体側通信装置を携帯しているだけで、遊技場の出口で、自己の遊技媒体貸出可能情報が「０」でない（遊技球を借り受けるために支払った金額に残金がある）ことを報知するサービスを享受することができる。一般的には、遊技媒体貸出可能情報は、これを遊技カードに記憶させた当日が過ぎると清算不可能であるので、このような報知サービスを行うことにより、遊技者の不本意な損失を軽減することができる。一方、遊技場側では、各会員の遊技媒体貸出可能情報を集計することができるため、より適切に遊技場を管理することができる。
【００８７】
また、本発明は、以下の遊技場管理装置として構成することができる。
「（態様６）態様５に記載の遊技場管理装置であって、
遊技媒体を貸し出す遊技媒体貸出装置と、遊技媒体貸出装置に対応して設けられ、人が接触することによって、人体とともに信号伝送路を形成する第２の信号伝送路形成設備を備え、
前記遊技媒体貸出装置は、遊技媒体貸出可能情報が記憶可能な遊技カードが挿入されるカード挿入口と、カード挿入口に挿入されている遊技カードに記憶されている遊技媒体貸出可能情報を読み取る読取装置と、遊技媒体の貸し出しを指示する遊技媒体貸出情報を入力する入力装置を有し、
人が当該遊技媒体貸出装置に対応する第２の信号伝送路形成設備に接触すると、人及
び第２の信号伝送路形成設備を含む信号伝送路を介して当該第２の信号伝送路形形成
設備に接触した人が携帯している人体側通信装置の記憶手段段に記憶されている遊技
者識別情報を読み取り、読み取った遊技者識別情報を前記管理装置に送信し、
前記カード挿入口にカードが挿入されると、カード挿入口に挿入されたカードに記憶
憶されている遊技媒体貸出可能情報を前記読取装置により読み取り、読み取った遊技
媒体貸出可能情報を前記管理装置に送信し、
前記入力装置から遊技媒体貸出情報が入力されると、入力された遊技媒体貸出情報を
前記管理装置に送信し、また、入力された遊技媒体貸出情報で示される遊技媒体を貸
し出し、
前記管理装置は、前記遊技媒体貸出装置から送信された遊技媒体貸出可能情報、遊技媒体貸出情報、遊技者識別情報に基づいて、遊技媒体貸出可能情報を遊技者識別情報に対応させて管理する、
ことを特徴とする遊技場管理装置。」
「第２の信号伝送路形成設備」は、遊技機の椅子に座って遊技を行う遊技者により接触され、人体とともに信号伝送路を形成可能な設備であればよい。「第２の信号伝送路形成設備」としては、例えば、遊技機の椅子、遊技機の発射レバー、椅子の足元のマットを用いることができる。この第２の信号伝送路形成設備には、人体を介して信号伝送路を形成するための電極が配設されている。なお、電極そのものが第２の信号伝送路形成設備であってもよい。
本態様の遊技場管理装置によれば、遊技者が、記憶手段に遊技者識別情報が記憶されている人体側通信装置を携帯しているだけで、各遊技者の遊技媒体貸出可能情報を容易に管理することができる。
【００８８】
ところで、パソコン等の情報入力装置を用いて情報を入力する場合、不正な入力を防止するために、正しい利用者であるか否かを判断する利用者の認証処理が実行される場合がある。利用者の認証処理では、例えば、個人識別情報と暗証番号が用いられる。この場合、利用者は、個人識別情報が記憶されているカードを読取装置に装着する操作（例えば、読取装置のカード挿入口にカードを挿入する操作あるいはカード読み取り口にカードを通す操作）、入力キーやタッチパネル等の入力手段を用いて暗証番号を入力する操作を行う。そして、情報入力装置は、読取装置で読み取った個人識別情報と入力手段から入力された暗証番号の組み合わせが、予め記憶されている個人識別情報と暗証番号の組み合わせと一致し、認証ＯＫであることを判別すると、利用者が情報入力装置を利用可能とする。
【００８９】
従来の情報入力装置では、利用者は、カードを読取装置に装着する操作と暗証番号を入力する操作が必要であり、煩わしい。
近年、人体通信システムが開発されている。この人体通信システムでは、例えば、個人識別情報を記憶する記憶手段を有する人体側通信装置と、導電性の入力キー（例えば、タッチキー）と、入力キーに接続されている端末装置を設ける。そして、人体側通信装置を携帯している利用者が入力キーを操作（接触）すると、端末装置は、入力キーと人体を含む信号伝送路を介して利用者が携帯している人体側通信装置の記憶手段に記憶されている個人識別情報を読み取る。このような人体通信装置を用いることにより、利用者は、人体側通信装置を携帯するのみで、個人識別情報を入力する操作が不要となる。
そこで、このような人体通信システムにおける不正な入力を防止する技術の開発が要望されている。
本発明は、利用者の操作負担を軽減しながら、不正な入力を防止することができる情報入力装置を提供することを目的とする。
【００９０】
以下に、本発明を実施する最良の形態の一例につき、図３５〜図３８を参照しつつ説明する。
本実施の形態では、パソコン等の情報入力装置を用いて情報を入力する利用者は、人体側通信装置を携帯している。この人体通信装置は、個人識別情報（個人ＩＤ）が記憶された利用者カードと、利用者カードが装着された送受信器を備えている。利用者は、この人体側通信装置を携帯している状態で、情報入力装置の入力キーを操作して暗証番号を入力する。
図３５には、本実施の形態の情報入力装置の表示器に表示される初期画面（待機モード画面）の一例を示す。図３６には、利用者が暗証番号を入力する際に情報入力装置の表示器に表示される暗証番号入力画面（情報入力モード画面）と、認証がＯＫであった場合に、表示器に表示されるメニュー画面の一例を示す。図３７には、利用者が暗証番号を入力している途中で、他の利用者が入力キーを操作した状態を示す。図３８には、表示器にメニュー画面が表示されている際に、他の利用者が入力キーを操作した状態を示す。
【００９１】
図３５に示すように、本実施の形態の情報入力装置は、利用者が携帯する人体側通信装置１００ｃと、複数の入力キーを有するキーパネル（例えば、タッチパネル）２０１と、表示器Ｄと、キーパネル２０１及び表示器Ｄと接続されている処理装置３０６を備えている。なお、各入力キーは導電性のタッチ電極により構成されている。
人体側通信装置１００ｃは、利用者ＩＤがメモリに記憶された利用者カード１１０ｃと送受信器１２０を有している。送受信器１２０には、利用者カード１１０ｃを着脱自在に装着する装着部が設けられている。送受信器１２０及び利用者カード１１０ｃのその他の構成については、図２に示した人体側通信装置１００の送受信器１２０及び会員カード１１０と同様であるので、詳細な説明を省略する。
【００９２】
人体側通信装置１００ｃを携帯している利用者が、キーパネル２０１の入力キーを操作（接触）すると、当該入力キーが操作された（接触した）ことを判別する。例えば、タッチセンサの出力に基づいて、利用者が接触した入力キーの座標情報を判別する。そして、利用者が入力キーに接触すると、処理装置３０６から、利用者が接触した入力キーと利用者の人体を含む信号伝送路を介して、人体側通信装置１００ｃに「利用者ＩＤ要求信号」が送信される。処理装置３０６は、人体側通信装置１００ｃに「利用者ＩＤ要求信号」を送信すると、「信号受信モード」に切り替わる。
人体側通信装置１００ｃの送受信器１２０は、処理装置３０６から「利用者ＩＤ要求信号」を受信すると、「信号送信モード」に切り替わる。そして、送受信器１２０は、利用者カード１１０ｃのメモリに記憶されている利用者ＩＤを、利用者の人体と利用者が接触している入力キーを含む信号伝送路を介して処理装置３０６に送信する。
処理装置３０６は、送信された利用者ＩＤを受信する。
なお、処理装置３０６が、「利用者ＩＤ要求信号」を送信する送信モードと、利用者ＩＤを受信する信号受信モードに交互に設定される場合には、利用者がいずれかの入力キーを操作（接触）すると、送信モードに設定された時に「利用者ＩＤ要求信号」が当該入力キーを介して自動的に送信され、その後受信モードに送信された時に、人体側通信装置から送信された「利用者ＩＤ」を自動的に受信する。
【００９３】
以上のように、処理装置３０６は、利用者が入力キーに接触することにより、当該入力キーと人体を含む信号伝送路を介して人体側通信装置１００ｃと通信を行い、人体側通信装置１００ｃのメモリ（人体側通信装置１００ｃに装着されている利用者カード１１０ｃのメモリ）に記憶されている利用者ＩＤを読み取る。
また、処理装置３０６は、利用者が接触した入力キーを示す入力キー識別情報（例えば、入力キーの座標情報や入力キーの番号情報）に基づいて、接触された入力キーに対応する文字情報を示す文字情報識別情報を判別する。
【００９４】
次に、図３５に示すように、処理装置３０６が管理する表示器Ｄに、初期画面（待機モード画面）が表示されている状態で、利用者ＩＤ「００１０」の利用者が、キーボード２００ｃを用いて暗証番号を入力する場合の動作について説明する。
利用者が、表示器Ｄに初期画面が表示されている状態で、キーボード２００ｃのいずれかの入力キー（暗証番号入力モードキーでもよい）を操作すると、処理装置３０６は暗証番号入力モード（情報入力モード）に移行し、表示器Ｄには、図３６に示す暗証番号入力画面が表示される。
利用者は、表示器Ｄに暗証番号入力画面が表示されている状態で、予め登録している自己の暗証番号の１桁目の文字情報（文字あるいは数字）が表示された入力キーを操作する。
これにより、処理装置３０６は、利用者の人体と操作（接触）された入力キーを含む信号伝送路を介して、人体側通信装置１００ｃに装着されている利用者カード１１０ｃに記憶されている利用者ＩＤ「００１０」を読み出す。
また、処理装置３０６は、操作された入力キーの座標情報に基づいて、操作された入力キーに対応する文字を示す文字情報識別情報（文字識別情報そのものでもよいし、入力キーの座標情報や入力キーの番号情報でもよい）を判別するとともに、表示器Ｄに１桁目の文字情報が入力されたことを示すマーク（例えば、アスタリスクマーク）を表示する。
そして、処理装置３０６は、読み取った利用者ＩＤと文字情報識別情報を記憶する。
同様にして、利用者が、入力キーを操作して、暗証番号を構成する文字情報を入力する毎に、処理装置３０６は、利用者の人体と各入力キーを含む信号伝送路を介して、会員ＩＤ「００１０」を読み出す。また、操作された入力キーの座標情報に基づいて、入力キーに対応する文字情報識別情報を判別するとともに、暗証番号の各桁が入力されたことを示すアスタリスクマークが表示器Ｄに表示される。そして、処理装置３０６は、読み取った利用者ＩＤと文字情報識別情報を記憶する。
【００９５】
以上のようにして、処理装置３０６は、入力キーが接触される毎に、読み取った利用者ＩＤと、入力キーに対応する文字情報識別情報を順に記憶する。なお、暗証番号の全桁が入力されたことは、例えば、利用者が暗証番号入力完了キーに接触することによって判別することができる。あるいは、暗証番号の桁数が設定されている場合には、暗証番号の桁数に対応する回数だけ、利用者が文字情報に対応する入力キーに接触したことにより判別することもできる。
処理装置３０６には、予め、利用者ＩＤに対応する暗証番号が記憶されており（特に図示していない。）、同じ利用者ＩＤ「００１０」に対応させて順次記憶された複数の文字情報識別情報に基づいて判別した暗証番号と、利用者ＩＤ「００１０」に対応して記憶されている暗証番号を照合する。照合の結果、両者が一致した場合、すなわち、認証ＯＫである場合には、処理装置３０６は、メニュー選択モードに設定するとともに、表示器Ｄにメニュー画面を表示する。利用者は、メニュー画面に表示されているメニューを選択し、情報入力装置を利用することができる。一方、認証ＮＧである場合には、図３５に示す初期画面（待機モード画面）を表示し、待機モードに戻る。
【００９６】
ところで、図３７に示すにように、利用者ＩＤ「００１０」の利用者が暗証番号の各桁の入力キーに接触している途中で、他の利用者、例えば利用者ＩＤ「００２０」の利用者がキーボード２００ｃの入力キーに接触すると、処理装置３０６は、利用者の人体と接触された入力キーを含む信号伝送路を介して、利用者ＩＤ「００２０」を、当該利用者が携帯している人体側通信装置の利用者カードから読み出す。
この場合には、処理装置３０６は、表示器Ｄに図３５に示す初期画面（待機モード画面）を表示し、待機モードに戻る。
すなわち、処理装置３０６は、暗証番号の２桁目以降の文字情報に対応する入力キーが接触された時に読み取った利用者ＩＤが、暗証番号の１桁目の文字情報に対応する入力キーが接触された時に読み取った利用者ＩＤと異なる場合には、待機モードに設定するとともに、表示器Ｄに初期画面を表示する。勿論、利用者ＩＤが読み取られなかった場合にも、待機モードに設定される。
そして、入力された暗証番号に対する認証結果がＯＫであった場合には、以後の利用を可能とする。
本実施の形態の「入力キー」が本発明の「入力手段」に対応する。また、本実施の形態の「処理装置３０６」が本発明の「処理装置」に対応する。また、本実施の形態の「暗証番号」が本発明の「入力情報」に対応する。また、本実施の形態の「初期画面」が本発明の「入力情報の入力が不可能な待機モード」で表示される画面に対応する。また、本実施の形態の「暗証番号入力画面」が本発明の「入力情報の入力が可能な情報入力モード」で表示される画面に対応する。
【００９７】
本実施の形態の情報入力装置では、利用者は、自己の利用者ＩＤ（個人識別情報）が記憶されている利用者カードが装着された人体用通信装置を携帯した状態で、暗証番号入力画面が表示される暗証番号入力モードにおいて、暗証番号を形成する複数の文字情報に対応する入力キーを順次操作することによって、暗証番号（入力情報）を入力することができる。これにより、利用者は、利用者カードを読取装置に装着する操作を行う必要がないため、情報を入力する際の操作が簡単である。
また、暗証番号を形成する文字情報を入力中に、異なる利用者ＩＤが読み取られた時あるいは利用者ＩＤが読み取られなかった時には、待機モードに移行される。このため、不正に暗証番号が入力されるのを防止することができる。
【００９８】
なお、入力された暗証番号に対する認証結果がＯＫになった後も、利用者ＩＤの一致性を確認し、利用者ＩＤが一致しない場合には、待機モードに設定するとともに、表示器Ｄに初期画面を表示するように構成することもできる。
すなわち、図３８に示すように、利用者ＩＤ「００１０」の利用者が暗証番号を入力して認証ＯＫとなった後も、入力キーが接触される毎に利用者ＩＤを読み取り、読み取った利用者ＩＤと、暗証番号の１桁目の文字情報に対応する入力キーが接触された時に読み取った利用者ＩＤを比較し、両者が一致しない場合には、表示器Ｄに図３５に示す初期画面（待機モード画面）を表示するとともに、待機モードにする。
本実施の形態では、同じ利用者ＩＤを読み取った場合にのみ入力キーの操作を有効としている。このため、入力キーが接触された時に読み取った利用者ＩＤを、それ以前に入力キーに接触した時に読み取った利用者ＩＤのいずれかと比較する方法を用いてもよい。
この実施の形態では、暗証番号入力モード及びメニュー選択モードを含む入力モードにおいて、接触された入力キーを介して読み取った利用者ＩＤがそれまでに（例えば、１桁目の入力キーが接触された時に）読み取った利用者ＩＤと異なる時あるいは利用者ＩＤを読み取ることができなかった時には、待機モードに移行される。このため、不正に暗証番号が入力されるのをより確実に防止することができる。
【００９９】
本実施の形態では、利用者が入力した暗証番号が認証ＮＧであった場合、暗証番号入力中に他の利用者により入力キーがタッチされた場合、メニュー画面等が表示され情報入力装置が利用可能状態となった後に他の利用者により入力キーがタッチされた場合に、情報入力装置は待機モードに戻り、表示器に初期画面を表示する場合について説明したが、表示器Ｄには、初期画面が表示される前に、あるいは初期画面とともに「暗証番号が間違っています。」「操作できません。」等のコメントが表示されるように設定されていてもよい。また、このように、待機モードに戻る場合には、入力キーやマウス等が操作不能に設定されるように構成されていてもよい。この場合、情報入力装置は、例えば、予め設定されている解除操作を行うことにより、入力キーやマウス等を操作可能状態に復帰させることができる。
また、本実施の形態では、情報入力装置が情報入力モードに移行した後には、今まで入力操作を行ってきた一人の利用者のみに限定して、入力情報を入力可能としたが、複数の利用者について入力情報を入力可能に設定されていてもよい。
【０１００】
本発明は、以下の遊技場管理装置として構成することができる。
「（態様７）複数の入力部を有する入力手段と、入力部に対応する文字情報識別情報を判別し、複数の文字情報識別情報の入力順序に基づいて入力情報を判別する処理装置を備える情報入力装置であって、
人が携帯し、個人を識別する個人識別情報を記憶する記憶手段を有する人体側通信装置を備え、
前記入力部は、人が接触すると、人及び入力部を含む信号伝送路を形成し、
前記処理装置は、
前記入力部の操作によって、前記入力情報の入力が不可能な待機モードと前記入力情報の入力が可能な情報入力モードに設定可能であり、
前記情報入力モードに設定している状態で、人が入力部に接触する毎に、当該入力部と人体を含む信号伝送路を介して当該入力部に接触した人が携帯している人体側通信装置の記憶手段に記憶されている個人識別情報を読み取り、読み取った個人識別情報がそれまでに読み取った個人識別情報と同じでない場合には、待機モードに設定する、
ことを特徴とする情報入力装置。」
「入力情報」には、暗証番号等、人が情報入力装置に当該人の認証を行わせるために必要な情報や、認証ＯＫとなった後に人が情報入力装置を利用するために入力する情報（コマンド情報等）が含まれる。したがって、「情報入力モード」には、暗証番号が入力される画面が表示されているモードや、メニュー画面等コマンド情報を入力する画面が表示されているモードを含む。
本態様の情報入力装置は、初期画面が表示されているモード（入力情報が入力不可能な「待機モード」）から、入力情報が入力可能な「情報入力モード」に移行されている状態で、他の利用者あるいは人体側通信装置を携帯していない利用者により入力部が操作されると、待機モードに戻る。これにより、他の利用者により、不正な入力情報が入力されることを効果的に防止することができ、セキュリティーが強化される。
【０１０１】
ところで、遊技場には、島毎に複数の遊技機が配設されている。各遊技機には、４〜５台毎に遊技機管理ユニットが設けられている。各遊技機管理ユニットは、島毎に島管理ユニットに接続されている。そして、各島の島管理ユニットは、遊技場の本部や事務所等に設置されている管理装置（ホールコンピュータ）に接続されている。
【０１０２】
島管理ユニットには、複数の遊技機管理ユニットが接続されているので、島内に多数のケーブルが配設され、作業性がよくない。
そこで、本発明は、島内で配設されるケーブルの数を減少させることができる遊技場管理装置を提供することを目的とする。
【０１０３】
図３９に示すように、遊技場管理装置は、複数の遊技機１が取り付けられる島設備３と、遊技機１に対応して設けられ、対応する遊技機１の遊技機情報と当該遊技機を示す遊技機識別情報を島管理ユニット３に送信する遊技機管理ユニット２が設けられている。
各遊技機には、４〜５台毎に遊技機管理ユニット２が設けられており、各遊技機管理ユニット２は、ケーブルにより島毎に島管理ユニット３に接続されている。そして、各島の島管理ユニット３は、遊技場の本部や事務所等に設置されている管理装置（ホールコンピュータ）４００ａに接続されている。
遊技機管理ユニット２は、ケーブルを介して、遊技機ＩＤ（例えば、「台番号」）とともに遊技機１の遊技機情報、例えば、所定時間内のセーフ数（遊技球の払い出し数）、アウト数（遊技球の投入数）、特賞回数（入賞して特賞を引き当てた回数）等を、島管理ユニット３に送信する。本実施の形態では、この配線（図３９に太線で示されている、遊技機管理ユニット２と島管理ユニット３間の信号伝送路）が、島設備に埋め込まれた導電性部材（島設備の一部）で構成される。
本実施の形態によれば、遊技機管理ユニット２と島ユニット３間の信号伝送路を、ケーブルを用いずに島設備に取り付けられている導電性部材で構成することができるので、島内に配設されるケーブルの数を減少させることができる。これにより、島内のケーブルが雑然となり難く、島内の機器の接続状態が分かり易い。したがって、遊技場設備のメンテナンス性が向上する。
なお、信号伝送路を形成する部材としては、島設備の表面に接着剤や固定部材を用いて取り付けられた導電性部材等でもよい。
【０１０４】
本発明は、以下の遊技場管理装置として構成することができる。
「（態様８）遊技場に設けられている遊技機の遊技機情報を管理装置に送信する遊技場管理装置であって、
遊技機が取り付けられる島設備と、
遊技機に対応して設けられ、対応する遊技機の遊技機情報と当該遊技機を示す遊技機識別情報を管理装置に送信する端末装置と、
前記端末装置から送信された遊技機情報と遊技機識別情報を受信し、受信した遊技機情報を管理する管理装置と、
前記端末装置と前記管理装置との間に設けられた信号伝送路を備え、
前記信号伝送路は、島設備に取り付けられている、
ことを特徴とする遊技場管理装置。」
信号伝送路の島設備への取り付け態様としては、島設備内に埋め込む（一体成形）態様、島設備の表面に接着剤や固定部材を用いて取り付ける態様等が考えられる。
本態様の遊技場管理装置によれば、島内で配設されるケーブルの数を減少させることができ、島内のケーブルが雑然となり難い。このため、遊技場設備のメンテナンス性が向上する。
【図面の簡単な説明】
【０１０５】
【図１】第１の実施の形態の概略構成図を示す。
【図２】会員が携帯する送受信器１２０のブロック図を示す。
【図３】キーパネル２００と人体側通信装置１００のブロック図を示す。
【図４】送受信器１２０とキーパネル２００と端末装置３００間で送受信（入出力）される情報を説明する図である。
【図５】端末装置３００にキーパネル２００を介して入力された、あるいは送信された情報の一例を示す。
【図６】図５に示した情報に基づいて端末装置３００により判別された会員の暗証番号「ＫＯＨＮ」を示す。
【図７】第１の実施の変更例として、複数の会員がキーパネル２００を用いて暗証番号を入力する場合に、各送受信器とキーパネル２００と端末装置３００間で送受信（入出力）される情報を説明する図である。
【図８】端末装置３００にキーパネル２００を介して入力された、あるいは送信された情報の一例を示す。
【図９】図８に示した情報が、端末装置３００で会員ＩＤ毎に並び替えられた状態を説明する図である。
【図１０】会員ＩＤ「００１０」の会員が入力した暗証番号が「ＫＯＨＮ」、会員ＩＤ「００２０」の会員が入力した暗証番号が「６１４」であることを示す。
【図１１】第２の実施の形態として、会員が入力した暗証番号を管理装置４００で判別する場合に、送受信器とキーパネル２００と端末装置３００と管理装置４００間で送受信（入出力）される情報を説明する図である。
【図１２】管理装置４００が端末装置３００から受信した情報の一例を示す。
【図１３】図１２に示した情報が、管理装置４００で会員ＩＤ毎に並び替えられた状態を説明する図である。
【図１４】会員ＩＤ「００１０」の会員が入力した暗証番号が「ＫＯＨＮ」、会員ＩＤ「００２０」の会員が入力した暗証番号が「６１４」であることを示す。
【図１５】第２の実施の形態の第１変更例として、会員が操作した入力キーの座標情報は、端末装置３００で各々が文字情報に変換されて管理装置４００に送信される場合に、送受信器とキーパネル２００と端末装置３００と管理装置４００間で送受信（入出力）される情報を説明する図である。
【図１６】第２の実施の形態の第２変更例として、端末装置３００が管理装置４００に、各キーの座標情報が入力された時刻情報も送信する場合に、送受信器とキーパネル２００と端末装置３００と管理装置４００間で送受信（入出力）される情報を説明する図である。
【図１７】第２の実施の形態の第２変更例について、管理装置４００に端末装置３００から送信された情報の一例を示す。
【図１８】図１７に示した情報が、管理装置４００で会員ＩＤ毎に並び替えられた状態を説明する図である。
【図１９】会員ＩＤ「００１０」の会員が入力した暗証番号が「ＫＯＨＮ」、会員ＩＤ「００２０」の会員が入力した暗証番号が「６１４」であることを示す。
【図２０】第３の実施の形態として、キーパネルに複数の入力領域が設けられており、各入力領域には表示部が配設されている場合に、送受信器とキーパネル２００と端末装置３００と管理装置４００間で送受信（入出力）される情報を説明する図である。
【図２１】第３の実施の形態の変更例として、キーパネルに設けられた入力領域は１つであるが、表示部が複数配設されている場合に、キーパネルと端末装置３００との間で送受信（入出力）される情報を説明する図である。
【図２２】第４の実施の形態の概略構成図を示す。
【図２３】送受信器とキーパネル６００と端末装置３００間で送受信（入出力）される情報を説明する図である。
【図２４】会員カードに記憶されたキーの座標情報の一例を示す。
【図２５】本実施の形態の概略構成図を示す。
【図２６】複数の遊技機毎に設けられた椅子７００の電極７０１と管理装置４００ａの接続状態を示すブロック図である。
【図２７】遊技機を占有している遊技者の遊技者ＩＤが、管理装置４００ａにより各遊技機ＩＤに対応して判別された結果を示す。
【図２８】遊技場内に設けられた表示端末装置８００の表示器８１０に表示される、遊技機の占有状態を示す表示画面の一例を示す。
【図２９】管理装置４００ａが管理する記憶手段に記憶されている、遊技者ＩＤに対応する遊技情報を示す。
【図３０】端末装置３００ａが、椅子７００毎に設けられている場合の各機器の接続状態を示すブロック図である。
【図３１】椅子７００の電極７０１が遊技機管理ユニット２に接続されている場合の各機器の接続状態を示すブロック図である。
【図３２】本実施の形態の概略構成図を示す。
【図３３】遊技者カード１００ｂに遊技者ＩＤが記憶されている場合の遊技場管理装置の構成と、各機器間で送受信される情報を示す。
【図３４】カードサンド４が管理装置４００ｂに送信する遊技者ＩＤは、椅子７００を介してカードサンド４に読み取られるように構成されている場合について、各機器間で送受信される情報を示す。
【図３５】本実施の形態の情報入力装置の表示器Ｄに表示される初期画面（待機モード画面）の一例を示す。
【図３６】本実施の形態の情報入力装置の表示器に表示される暗証番号入力画面（情報入力モード画面）と、利用者の認証がＯＫであった場合に表示器Ｄに表示されるメニュー画面の一例を示す。
【図３７】利用者が暗証番号を入力している途中で、他の利用者が入力キーを操作した状態を示す。
【図３８】表示器Ｄにメニュー画面が表示されている際に、他の利用者が入力キーを操作した状態を示す。
【図３９】島設備の導電性部材により信号伝送路が形成され、接続される機器を示す。
【符号の説明】
【０１０６】
１  遊技機
２  遊技機管理ユニット
３  島管理ユニット
４  カードサンド
４ａ    プリペイドカード挿入口
４ｂ  現金投入口
４ｃ  貸し出しボタン
４ｅ  遊技者カード挿入口
１０  島設備
１００，１００ａ，１００ｂ，１００ｃ  人体側通信装置
１１０，１１０ａ，１１１  会員カード
１１０ｂ  遊技者カード
１１０ｃ  利用者カード
１２０，  送受信器
１２１  制御装置
１２２  信号送信部
１２３  信号受信部
１２４  信号電極
１２５  接地電極
２００，２０１，５００，６００  キーパネル
３００，３００ａ，３００ｂ  端末装置
３０１  制御装置
３０２  信号送信部
３０３  信号受信部
３０４  記憶手段
３０５  通信部
３０６  処理装置
４００，４００ａ，４００ｂ  管理装置
６１０  送信キー
７００  椅子
７０１  電極
８００  表示端末装置
８１０  表示器
９００  マット
９１０  報知装置
Ｓ  スタートキー
Ｅ  エンドキー
Ａ，Ｂ，Ｃ  入力領域
Ａ１，Ｂ１，Ｃ１  入力キー表示部
Ａ２，Ｂ２，Ｃ２  情報表示部
Ｄ  表示器
【図１】
2007020895.tif 000003
【図２】
2007020895.tif 000004
【図３】
2007020895.tif 000005
【図４】
2007020895.tif 000006
【図５】
2007020895.tif 000007
【図６】
2007020895.tif 000008
【図７】
2007020895.tif 000009
【図８】
2007020895.tif 000010
【図９】
2007020895.tif 000011
【図１０】
2007020895.tif 000012
【図１１】
2007020895.tif 000013
【図１２】
2007020895.tif 000014
【図１３】
2007020895.tif 000015
【図１４】
2007020895.tif 000016
【図１５】
2007020895.tif 000017
【図１６】
2007020895.tif 000018
【図１７】
2007020895.tif 000019
【図１８】
2007020895.tif 000020
【図１９】
2007020895.tif 000021
【図２０】
2007020895.tif 000022
【図２１】
2007020895.tif 000023
【図２２】
2007020895.tif 000024
【図２３】
2007020895.tif 000025
【図２４】
2007020895.tif 000026
【図２５】
2007020895.tif 000027
【図２６】
2007020895.tif 000028
【図２７】
2007020895.tif 000029
【図２８】
2007020895.tif 000030
【図２９】
2007020895.tif 000031
【図３０】
2007020895.tif 000032
【図３１】
2007020895.tif 000033
【図３２】
2007020895.tif 000034
【図３３】
2007020895.tif 000035
【図３４】
2007020895.tif 000036
【図３５】
2007020895.tif 000037
【図３６】
2007020895.tif 000038
【図３７】
2007020895.tif 000039
【図３８】
2007020895.tif 000040
【図３９】
2007020895.tif 000041